(57)【要約】本発明は、高コルチゾール血症表現型と関連する多型マーカーを識別するための方法に関するものであり、その特徴は、Ｃｂｇ遺伝子の全部または一部を含む幾つかの個体の核酸配列を比較すること、および、Ｃｂｇ遺伝子またはそれに隣接する配列における突然変異を識別することを含むことである。本発明はまた、高コルチゾール血症表現型と関連する多型マーカーをも対象とするものであり、その高コルチゾール血症表現型を構成するのは、Ｃｂｇ遺伝子の全部もしくは一部を含む核酸配列、または、好適には１００ｋｂ以下の距離で隣接する３’もしくは５’配列である。【特許請求の範囲】
【請求項１】
Ｃｂｇ遺伝子の全部または一部を含む幾つかの個体の核酸配列を比較すること、および、Ｃｂｇ遺伝子またはそれに隣接する配列における突然変異を識別することを含むことを特徴とする、高コルチゾール血症表現型に関連する多型マーカーの識別方法。
【請求項２】
前記核酸配列が、Ｃｂｇ遺伝子の一部または好適には１００ｋｂ以下の距離で隣接する３’もしくは５’配列を含むゲノムＤＮＡ配列であることを特徴とする、請求項１に記載の方法。
【請求項３】
Ｃｂｇ遺伝子または好適には１００ｋｂ以下の距離で隣接する３’もしくは５’配列の中に含まれる核酸配列の全部または一部からなる、高コルチゾール血症表現型に関与する多型マーカー。
【請求項４】
マイクロサテライト、挿入／欠失多型、制限断片長多型（ＲＦＬＰ）または単一ヌクレオチド多型（ＳＮＰ）を含むグループから選択されることを特徴とする、請求項３に記載の多型マーカー。
【請求項５】
請求項３または４に記載のマーカーの脇に、Ｃｂｇ遺伝子配列の５個から５０個、好適には１０個から３０個の連続するヌクレオチド、または、好適には１００ｋｂ以下の距離で隣接する３’もしくは５’配列を含むことを特徴とする、ヌクレオチドプライマー。
【請求項６】
多型マーカーを用いて、高コルチゾール血症及びそれに関連する病変を進行させるおそれのある個体を識別するための遺伝子スクリーニング方法であって、
ｉ）ある個体のゲノムＤＮＡを精製し、つぎに、
ｉｉ）前記ＤＮＡに基づき、ＰＣＲによって、請求項３または４に記載の多型マーカーを含む遺伝子座を増幅し、そして、
ｉｉｉ）増幅した前記ＤＮＡのなかで前記多型マーカーの一つまたは複数の対立遺伝子を検出する
ことを含むことを特徴とする方法。
【請求項７】
ＤＮＡサンプルに基づいて高コルチゾール血症の遺伝子マーカーのテストを行えるようにする、請求項６に記載の方法を活用するためのキットであって、請求項５に記載の一対のヌクレオチドプライマー、ＰＣＲ試薬、ならびに場合によっては、反応のネガティブコントロール及びポジティブコントロール、ならびにマーカーを含むことを特徴とするキット。
【請求項８】
ＨＰＡ軸の機能不全、ならびに、肥満、炎症反応及び自己免疫反応への構成的な感受性、あるいは更に（特に認知機能に関わる）老化の病変、あるいは濫用薬剤による増感現象などの、この軸に関連する病気または病気の素因を識別することのできる、被験体、特にヒトの高コルチゾール血症あるいは高コルチゾール血症の素因を診断するための、請求項６に記載の方法の使用。
【請求項９】
高コルチゾール血症を進行させる確率が高く、肥満率の高い牧畜動物、特に豚を選択するため、あるいは選択を重ねていくための、請求項６に記載の方法の使用。
【請求項１０】
請求項３または４に記載の多型マーカーの対立遺伝子が、
・ＳＥＱ  ＩＤ  ＮＯ．１の部位１３３に対応する、Ｇ→Ｔの転位
・ＳＥＱ  ＩＤ  ＮＯ．１の部位１３４に対応する、Ｃ→Ｔの転位
・ＳＥＱ  ＩＤ  ＮＯ．１の部位５３９に対応する、Ｔ→Ｃの転位
・ＳＥＱ  ＩＤ  ＮＯ．１の部位６２０に対応する、Ａ→Ｇの転位
・ＳＥＱ  ＩＤ  ＮＯ．１の部位６２６に対応する、Ｇ→Ａの転位
・ＳＥＱ  ＩＤ  ＮＯ．１の部位８５９に対応する、Ｃ→Ｔの転位
・ＳＥＱ  ＩＤ  ＮＯ．１の部位８６６に対応する、Ｃ→Ｔの転位
・ＳＥＱ  ＩＤ  ＮＯ．１の部位８８２に対応する、Ａ→Ｇの転位
・ＳＥＱ  ＩＤ  ＮＯ．１の部位８９０に対応する、Ｇ→Ｃの転位
・ＳＥＱ  ＩＤ  ＮＯ．１の部位９６０に対応する、Ｃ→Ｔの転位
・ＳＥＱ  ＩＤ  ＮＯ．１の部位１００８に対応する、Ｇ→Ａの転位
・ＳＥＱ  ＩＤ  ＮＯ．６の部位４２に対応する、Ｔ→Ｃの転位
・ＳＥＱ  ＩＤ  ＮＯ．６の部位４９に対応する、Ｃ→Ｔの転位
・ＳＥＱ  ＩＤ  ＮＯ．７の部位７５に対応する、Ｃ→Ｔの転位
からなる突然変異群の中から選択された一つの突然変異を呈する、請求項６に記載の方法の使用。
【請求項１１】
導入遺伝子の中に請求項３に記載の核酸配列のうちの一つが含まれる、遺伝子導入動物。
【請求項１２】
ＣＢＧタンパク質と同一または相同のポリペプチドをコードする請求項３に記載の配列のうちの一つを過剰発現する、遺伝子導入動物。
【請求項１３】
ＨＰＡ軸、ならびに、肥満、炎症反応及び自己免疫反応、特に認知機能に関わる老化、薬物嗜癖に関連する病変にＣＢＧが作用する仕組みを理解するための技術的モデルとしての、請求項１１または１２に記載の遺伝子導入動物の使用。
【請求項１４】
ＣＢＧの機能を変化させることのできる化合物をスクリーニングするための、請求項１１または１２に記載の遺伝子導入動物の使用。
【請求項１５】
Ｃｂｇ遺伝子の発現及び／またはその合成及び／またはそのコルチゾールとの結合を変化させることのできる化合物をスクリーニングする方法であって、例えばＨｅｐＧ２細胞のような培養細胞に基づくＣＢＧタンパク質の生成を含むこと、および、前記タンパク質の生成に対する前記化合物のテストが行われることを特徴とする方法。
【請求項１６】
前記スクリーニングが大規模なスクリーニングであることを特徴とする、請求項１５に記載のスクリーニング方法。
【請求項１７】
Ｃｂｇ遺伝子の発現及び／またはその合成及び／またはそのコルチゾールとの結合を変化させることのできる化合物をスクリーニングする方法であって、請求項１５または１６に記載のスクリーニング方法によりｉｎ  ｖｉｔｒｏで識別した化合物を、請求項１２に記載の遺伝子導入動物についてｉｎ  ｖｉｖｏでスクリーニングすることを含むことを特徴とする方法。
【発明の詳細な説明】
【技術分野】
【０００１】
本発明は、トランスコルチン（即ちＣＢＧ＝コルチコステロイド結合グロブリン）をコードする遺伝子を、構成的高コルチゾール血症の遺伝子マーカーとして、および、その高コルチゾール血症に関連する病変の新しい治療標的として用いることに関するものである。本発明は、１）高コルチゾール血症を進行させる可能性がより低い牧畜動物の選定、２）高コルチゾール血症を進行させるおそれのある患者の遺伝子診断、３）構成的高コルチゾール血症に関連する病変の治療に応用されるものである。高コルチゾール血症を進行させるおそれのある個体を決定するための、トランスコルチンの遺伝子マーカーの識別方法と、遺伝子スクリーニング方法とを説明する。
【０００２】
グルココルチコイドホルモン、すなわち、ヒトや豚のコルチゾール、齧歯類のコルチコステロンは、糖新生、脂質及びタンパク質の代謝、抗炎症反応、ならびに成長のような、数ある生物学的過程と関係するものである。グルココルチコイドはまた、ストレス反応の主要な構成要素でもある。ストレスに晒されると、コルチゾールが副腎から急速に放出され、それにより、行動反応に必要なエネルギーが供給される。この刺激をその個体が制御している場合には、コルチゾールのレベルは、負のフィードバックにより基底値に戻る。慢性ストレス状況のように、そうでない場合には、コルチゾールが高レベルで一定し、その生命体にとって、危険性が大きい。そういうわけで、コルチゾール、そして一般的にはＨＰＡ軸は、肥満（Ｒｏｓｍｏｎｄ  ｅｔ  ａｌ．，  １９９８）、炎症反応及び自己免疫反応への構成的な感受性（Ｓｔｅｒｎｂｅｒｇ  ａｎｄ  Ｇｏｌｄ，  １９９７）、老化（Ｌｕｐｉｅｎ  ｅｔ  ａｌ．，  １９９８）、あるいは濫用薬剤による増感現象（Ｐｉａｚｚａ  ａｎｄ  Ｌｅ  Ｍｏａｌ，  １９９８）などの様々な病変に関係するものである。
【背景技術】
【０００３】
ＨＰＡ軸の働きが個体間で非常にばらつきがあることが観察されており、そのばらつきが、上記のような、病変に対する個体の脆弱性に影響している。このようなばらつきは、一つには遺伝的な原因から来るものであり、それは、ストレスに対するＨＰＡ軸の反応性と、その概日性の活性とに関する、双子を対象としたいくつもの研究で証明されている通りである（Ｍｅｉｋｌｅ  ｅｔ  ａｌ．，  １９８８；  Ｋｉｒｓｃｈｂａｕｍ  ｅｔ  ａｌ．，  １９９２；  Ｌｉｎｋｏｗｓｋｉ  ｅｔ  ａｌ．，  １９９３）。同様に、ＨＰＡ軸の働きがマウスやラットの様々な系統間で（Ａｒｍａｒｉｏ  ｅｔ  ａｌ．，  １９９５；  Ｍａｒｉｓｓａｌ−Ａｒｖｙ  ｅｔ  ａｌ．，  １９９９）あるいは豚の品種間で（Ｄｅｓａｕｔｅｓ  ｅｔ  ａｌ．，  １９９９）様々に異なるということが明らかになっている。
【発明の開示】
【発明が解決しようとする課題】
【０００４】
したがって、ＨＰＡ軸の働きにこのようにばらつきがあることの基になっている遺伝子を識別することは、ヒトや動物の健康にとって非常に重要である。ヒトの場合には、そのＨＰＡ軸を調節する遺伝子とその軸の機能不全に関連する病変との間の関連性の研究が行われてきた。例えば、グルココルチコイドに対する受容器の多型は腹部の肥満に関連するものであることが認められた（Ｂｕｅｍａｎｎ  ｅｔ  ａｌ．，  １９９７）。
【課題を解決するための手段】
【０００５】
本発明者は、まさしくこのような遺伝子を識別することに専心し、そのための手段として、（ｉ）最初に仮説を立てることをせずに、動物モデルについて量的形質遺伝子座すなわちＱＴＬ（Ｑｕａｎｔｉｔａｔｉｖｅ  Ｔｒａｉｔ  Ｌｏｃｉ）の遺伝子マッピングを用いるアプローチ（Ｍｏｉｓａｎ  ｅｔ  ａｌ．，  １９９６）と、（ｉｉ）ＨＰＡ軸の働きにおける候補遺伝子の役割についての知識に基づいて行う「候補遺伝子」アプローチとを用いた（Ｍａｒｉｓｓａｌ−Ａｒｖｙ  ｅｔ  ａｌ．，  ２０００）。
【０００６】
このような二つの取り組み方を、トランスコルチンをコードする遺伝子について活用したのであり、本発明を導き出した作業は、同時に、その遺伝子のＱＴＬとすでに知られた機能との分析に関するものでもあった。トランスコルチン即ちＣＢＧ（コルチコステロイド結合グロブリン）は、グルココルチコイドホルモンの血漿中結合タンパク質であり、そのタンパク質については、それがコルチゾールを運搬する上でどのような役割を果たすのか、そして、それがコルチゾールの生物学的利用能にどのような影響を与えるのかに関する研究を行った。
【０００７】
本発明者はここで、コルチゾールの生成についてトランスコルチンがどのような役割を果たすのか、そして、豚のコルチゾール血症のばらつきにおいて、それがどのような関わり合いをもっているのかを明らかにした。
【０００８】
そのような結果を得ることになったのは、豚のＨＰＡ軸の働きに影響を及ぼす遺伝子の研究について本発明者が行った作業によるものであり、欧州産のラージホワイトと中国産のメイシャンという二つの豚の品種の交配種について、ＱＴＬ遺伝子マッピングを用いた。
【０００９】
豚の血漿中コルチゾール濃度と豚の７番染色体の遺伝子座との間に強度の遺伝的関連が見いだされた（Ｂｉｄａｎｅｌ  ｅｔ  ａｌ．，  ２０００）。ヒトゲノムとの比較マッピングにより明らかになったのは、トランスコルチンの遺伝子が、以下のような遺伝子分析によって規定された区間内にあるということである。
・豚のＣｂｇ遺伝子は（ＦＩＳＨによって、そして放射線ハイブリッドマッピングによって明らかになった）ＱＴＬ領域の中に確かにある。
・同じＦ２個体群に関して（コルチゾールの代わりに）トランスコルチンの血漿中濃度について行った遺伝的関連の分析でも、７番染色体の遺伝子座との強度の関連性が明らかになっている。
・ラージホワイトとメイシャンという、親に当たる二つの豚の品種間で、ＣＢＧ濃度が異なっている。
・興味深い突然変異がメイシャン豚のＣｂｇ遺伝子のコード領域内に見いだされた。
【００１０】
それゆえ、Ｃｂｇ遺伝子は、豚におけるこのようなＱＴＬの「位置的候補」となる。
【００１１】
このような遺伝的関連の分析結果によって、初めて明らかになるのが、トランスコルチンの分子変異体とコルチゾール生成との間の因果関係である。
【００１２】
また、高コルチゾール血症のメイシャン豚もまた肥満しており、ラージホワイトに比べて成長の遅れが見られるのだが、それはコルチゾールレベルが高いということの結果である可能性が考えられる。このような仮説を考慮して、Ｆ２個体群につき、コルチゾールレベルと背中の脂肪の厚みとの間に正の相関関係が見いだされた。この関係は、デュロック×ラージホワイトのＦ２個体群において、尿中のコルチゾール、背中の脂肪、そして枝肉の中の脂肪のない肉の割合との間にも見いだされた（Ｍｏｒｍｅｄｅ  Ｐ．  公表されていない）。このような結果を踏まえて、改めて統計分析を行ったところ、豚のＦ２個体群（メイシャン×ラージホワイト）において、背中の脂肪の厚みと７番染色体の遺伝子座との間に遺伝的関連があることを明らかにすることができた。図５は、背中の脂肪の厚みと高コルチゾール血症のＱＴＬとの間の遺伝的関連を示すものである。Ｃｂｇ遺伝子は、７番染色体の１．３５モルガンの位置にあり、その図で示された二番目のＱＴＬの頂点のところにある。それゆえ、コルチゾール血症と脂肪の蓄積とは、トランスコルチンの遺伝子を含むその遺伝子座に向かって集まっている。それゆえ、メイシャン豚は、ＨＰＡ軸に遺伝的ばらつきがあることの研究、ならびにその病理生理学的結果、特に肥満についての優れたモデルとなるものである。
【００１３】
更に、改めて指摘する必要があるのは、マウスの場合、肥満に関連するゲノムの遺伝子座が、１９９５年にＷａｒｄｅｎによって明らかにされたということである（Ｗａｒｄｅｎ  ｅｔ  ａｌ．，  １９９５）。マウスのゲノムについての実際のデータでは、ＣＢＧがこのＱＴＬの信頼区間の頂点にあり、このモデルにおいて改めて良好な位置的候補となることを確認することができる。
【００１４】
最後に、ヒトの場合には、ＣＢＧ濃度と高インシュリン血症との間に逆の関係があることが、肥満の過程で報告されており、その一方で、糖尿病患者のＣＢＧの濃度は高い（Ｆｅｒｎａｎｄｅｚ−Ｒｅａｌ  ｅｔ  ａｌ．，１９９９）（Ｆｅｒｎａｎｄｅｚ−Ｒｅａｌ  ｅｔ  ａｌ．，  ２０００）。このような関係は、ＣＢＧの肝臓での生成に対するインシュリンの抑制効果によって説明が可能である（Ｃｒａｖｅ  ｅｔ  ａｌ．，  １９９５）。
【００１５】
ヒトのトランスコルチンの分子変異体についての説明は文献にあり（Ｖａｎ  Ｂａｅｌｅｎ  ｅｔ  ａｌ．，  １９８２）（Ｓｍｉｔｈ  ｅｔ  ａｌ．，  １９９２）、そして二つの研究において、トランスコルチン遺伝子に突然変異のある患者は肥満している（Ｅｍｐｔｏｚ−Ｂｏｎｎｅｔｏｎ  ｅｔ  ａｌ．，  ２０００；  Ｔｏｒｐｙ  ｅｔ  ａｌ，  ２００１）。
【００１６】
様々なアプローチに基づいて種々の動物で採取したデータを総合すると、肥満の過程でのＣＢＧの変化を、その病気の病理生理学と関係するコルチゾールの生物学的利用能の重要な因子として考えることが可能である。
【００１７】
そのような結果が注目に値するのは、今日に至るまで、利用できる構成的コルチゾール血症のマーカーが一切なかったからである。そのようなマーカーがあれば、血液サンプルに基づき、しかも誕生時点から、ある個体のコルチゾール血症をつきとめることが可能になる。このコルチゾール血症はやがて、肥満に対する脆弱性、自己免疫反応及び炎症反応に対する脆弱性、成長の速度、老化、薬物嗜癖に影響していく。それゆえ、本発明は、トランスコルチン遺伝子の有利な対立遺伝子をもつ、豚のような牧畜動物の選定の分野において、ならびに、ヒトにおける、構成的高コルチゾール血症の素因、およびその結果として引き起こされる前述の病変の遺伝子診断のために、応用されるものである。最後に、本発明により、ＨＰＡ軸の機能不全に関連するそのような病変を治療するのに役立つ物質をスクリーニングする新しい手段を活用することが可能になる。
【００１８】
それゆえ、本発明はまず、高コルチゾール血症の表現型に関連する多型マーカーを識別する方法を対象とするものであり、その一環として、Ｃｂｇ遺伝子の全部または一部を含む幾つかの個体の核酸配列を比較し、Ｃｂｇ遺伝子またはそれに隣接する配列における突然変異を識別することを含む。
【００１９】
ここで個体というのは、ヒトの被験者と同様に動物の被験体も指す。有利には、前記核酸配列はゲノムＤＮＡ配列であって、Ｃｂｇ遺伝子の一部、または、好適には１００ｋｂ以下の距離で隣接する３’もしくは５’配列を含むものである。
【００２０】
例えば、豚のＣｂｇ遺伝子のｃＤＮＡ配列とその遺伝子に隣接する５’配列とは、添付の配列表において、ＳＥＱ  ＩＤ  ＮＯ．１、およびＳＥＱ  ＩＤ  ＮＯ．３という番号でそれぞれ示されており、それらを高コルチゾール血症のマーカーを探るために利用することが可能である。
【００２１】
そのようなマーカーは、Ｃｂｇ遺伝子の一部またはその脇にある配列を含むゲノムクローンに基づいて入手可能であり、それらクローンも、「材料と方法」と題した節の４）のところで説明するようなＣｂｇ遺伝子に特異的なプローブでＤＮＡバンクをスクリーニングすることにより入手されるものである。そのような多型マーカーは例えば、マイクロサテライト、挿入／欠失多型、制限断片長多型（ＲＦＬＰ）あるいは単一ヌクレオチド多型（ＳＮＰ）が考えられる。
【００２２】
多型遺伝子座をカバーするＤＮＡ断片の配列決定を行うことにより、一つの個体のゲノムＤＮＡ全体から前記断片の特異的増幅が可能なヌクレオチドプライマーを規定することができる。
【００２３】
それゆえ、本発明はまた、高コルチゾール血症表現型に関連する多型マーカーをも対象とするものであり、その多型マーカーを構成するのは、Ｃｂｇ遺伝子または好適には１００ｋｂ以下の距離で隣接する３’もしくは５’配列を含む核酸配列の全部もしくは一部である。
【００２４】
本発明はまた、上記のマーカーの脇にあるヌクレオチドプライマーに関するものでもある。そのようなプライマーには、上記で規定されたマーカーの脇にある、Ｃｂｇ遺伝子配列の５個から５０個、好適には１０個から３０個の連続するヌクレオチド、または好適には１００ｋｂ以下の距離で隣接する３’もしくは５’配列が含まれている。
【００２５】
本発明はまた、多型マーカーを用いて、高コルチゾール血症及びそれに関連する病変を進行させるおそれのある個体を識別するための、遺伝子スクリーニング方法に関するものでもある。そのような方法には下記のものが含まれる：
ｉ）血液、組織あるいは精液から、ある個体のゲノムＤＮＡを精製するのだが、一般的には、従来の方法による採血で得られた白血球からＤＮＡを精製する、
ｉｉ）つぎに、前記ＤＮＡに基づき、上記で規定されたプライマーを用いて、ポリメラーゼ連鎖反応（すなわちＰＣＲ）によって、多型マーカーを含む遺伝子座を増幅する、
ｉｉｉ）そして、増幅した前記ＤＮＡのなかで、前記多型マーカーの一つまたは複数の対立遺伝子を検出する。
【００２６】
マーカーの多型のタイプによって、つぎのような様々な技法の使用が考えられる。
・長多型（マイクロサテライト、挿入／欠失、ＲＦＬＰ）については、様々な個体の増幅されたＤＮＡのなかにある対立遺伝子を従来の電気泳動法により検出するのであるが、その際、ＲＦＬＰのためには、先に酵素による消化を行うのが有利である。
・点突然変異、ＳＮＰ型の多型については、使用する方法には例えば、ＳＳＣＰ（Ｓｉｎｇｌｅ  Ｓｔｒａｎｄ  Ｃｏｎｆｏｒｍａｔｉｏｎ  Ｐｏｌｙｍｏｒｐｈｉｓｍ）（Ｏｒｉｔａ  ｅｔ  ａｌ，  １９８９  ＰＮＡＳ  ８６：  ２７６６−２７７０）、対立遺伝子特異的ＰＣＲ（Ｇｉｂｂｓ  １９８７，  Ｎｕｃｌ  Ａｃｉｄ  Ｒｅｓ  １７，  ２４２７−２４４８）、あるいは、増幅したＤＮＡを直接に配列決定することが含まれる。
【００２７】
個体でマーカーの対立遺伝子を検出すると、その個体が高コルチゾール血症を進行させるおそれがより大きいかどうかを予測することができる。Ｃｂｇ遺伝子の中のそのような点突然変異の一例を添付図４に示した。
【００２８】
本発明はまた、高コルチゾール血症を進行させる確率が高く、肥満率の高い牧畜動物、特に豚を選択するため、あるいは選択を重ねていくために、多型マーカーを用いて、高コルチゾール血症及びそれに関連する病変を進行させるおそれのある個体を識別するための遺伝子スクリーニング方法を使用することにも関するものである。
【００２９】
本出願人の努力により、Ｆ１及びＦ０豚のＣｂｇ遺伝子のエクソン配列に基づき、以下のような多型を検出することができた。
・ＳＥＱ  ＩＤ  ＮＯ．１の部位１３３に対応する、Ｇ→Ｔの転位
・ＳＥＱ  ＩＤ  ＮＯ．１の部位１３４に対応する、Ｃ→Ｔの転位
・ＳＥＱ  ＩＤ  ＮＯ．１の部位５３９に対応する、Ｔ→Ｃの転位
・ＳＥＱ  ＩＤ  ＮＯ．１の部位６２０に対応する、Ａ→Ｇの転位
・ＳＥＱ  ＩＤ  ＮＯ．１の部位６２６に対応する、Ｇ→Ａの転位
・ＳＥＱ  ＩＤ  ＮＯ．１の部位８５９に対応する、Ｃ→Ｔの転位
・ＳＥＱ  ＩＤ  ＮＯ．１の部位８６６に対応する、Ｃ→Ｔの転位
・ＳＥＱ  ＩＤ  ＮＯ．１の部位８８２に対応する、Ａ→Ｇの転位
・ＳＥＱ  ＩＤ  ＮＯ．１の部位８９０に対応する、Ｇ→Ｃの転位
・ＳＥＱ  ＩＤ  ＮＯ．１の部位９６０に対応する、Ｃ→Ｔの転位
・ＳＥＱ  ＩＤ  ＮＯ．１の部位１００８に対応する、Ｇ→Ａの転位
・ＳＥＱ  ＩＤ  ＮＯ．６の部位４２に対応する、Ｔ→Ｃの転位
・ＳＥＱ  ＩＤ  ＮＯ．６の部位４９に対応する、Ｃ→Ｔの転位
・ＳＥＱ  ＩＤ  ＮＯ．７の部位７５に対応する、Ｃ→Ｔの転位
【００３０】
添付配列表の中の配列ＳＥＱ  ＩＤ  ＮＯ．６及び７はそれぞれ、豚のＣｂｇ遺伝子のイントロンＣの５’部分及び３’部分に対応する。したがって、本発明は、多型マーカーを用いて高コルチゾール血症及びそれに関連する病変を進行させるおそれのある個体を識別するための遺伝子スクリーニング方法を使用することに関するものであり、ここで、上記に規定した多型マーカーの対立遺伝子は、上記に説明した突然変異のうちの一つを有するものである。
【００３１】
本発明はまた、ＤＮＡサンプルに基づいて高コルチゾール血症の遺伝子マーカーのテストを行うことができるようにする、上記の方法を活用するためのキットを提供することをも目指している。そのようなキットに含まれるのは、前記にて規定したような一対のヌクレオチドプライマーであり、それは、市販されているものから入手可能なＰＣＲの増幅試薬とともに用いられることになるものである。そのキットにはまた、反応のネガティブコントロール及びポジティブコントロール、およびマーカーも含まれることがありうる。
【００３２】
本発明はまた、高コルチゾール血症を軽減する治療を目的として、Ｃｂｇ遺伝子の発現及び／またはその合成を変化させることのできる物質を識別するための方法にも関するものである。事実、ＣＢＧのコルチゾールとの結合及び／またはコルチコステロンとの結合を変化させることのできる化合物をｉｎ  ｖｉｔｒｏでスクリーニングするために、野生型の、または突然変異型の、ＣＢＧタンパク質を用いることが可能である。したがって本発明は、ＣＢＧの機能を変化させることのできる物質の識別方法を対象としており、それは、適切なあらゆる技法を用いて、その化合物と（野生型または突然変異型の）ＣＢＧとの結合を評価するということである。それは、例えば「Ｈｉｇｈ  ｔｈｒｏｕｇｈｐｕｔ  ｓｃｒｅｅｎｉｎｇ：  Ｔｈｅ  ｄｉｓｃｏｖｅｒｙ  ｏｆ  Ｂｉｏａｃｔｉｖｅ  Ｓｕｂｓｔａｎｃｅｓ」，  ＪＰ  Ｄｅｌｖｉｎ  （Ｅｄ），  Ｍａｒｃｅｌ  Ｄｅｋｋｅｒ  Ｉｎｃ．  Ｎｅｗ  Ｙｏｒｋ  （１９９７）という著書におけるように、文献に記載された、大規模なスクリーニング方法を用いる技法に関するものとなることも考えられる。
【００３３】
ＣＢＧと活性化合物との間の結合活性を、例えば、試験対象化合物の結合力と親和力とを、それらが放射性コルチゾールを移動させる能力によって評価する、放射標識結合テストで決定することも可能である。ＣＢＧの供給源は、例えばＣｂｇ遺伝子のｃＤＮＡを含むベクターを培養細胞の中にトランスフェクトすることにより得られる。タンパク質が分泌されて、その培地で、放射標識結合テストを実施することが可能である。コルチゾールと効果的に競合する化合物が選定される。
【００３４】
本発明はまた、Ｃｂｇ遺伝子を過剰発現する動物またはその遺伝子の突然変異体を発現する動物を、ＣＢＧがＨＰＡ軸に及ぼす作用の仕組みを理解するため、そして／または、ＣＢＧの発現を変化させることのできる化合物をスクリーニングするために、研究モデルとして用いることにも関するものである。更に、本発明は遺伝子導入動物に関するものであり、その導入遺伝子に含まれる核酸配列は、Ｃｂｇ遺伝子または好適には１００ｋｂ以下の距離で隣接する３’および５’配列に含まれている。好適には、選択された配列は、ＣＢＧタンパク質と同一または相同のポリペプチドをコードするものである。
【００３５】
例えば、そのような遺伝子導入動物は、この技術について従来から用いられているように、Ｃｂｇ遺伝子をコードする配列（例えばＳＥＱ  ＩＤ  Ｎｏ．１）と標的組織（この場合は肝臓）でそれを過剰発現できるような調節配列とを含む核酸を、その動物（例えばマウス、ラット、豚）の胚の中にマイクロインジェクトすることで得られる。
【００３６】
ＨＰＡ軸、ならびに、肥満、炎症反応及び自己免疫反応、特に認知機能における老化、薬物嗜癖に関連する病変に対してＣＢＧが作用する仕組みを理解するための技術的モデルとして、これらの動物を使用することができる。
【００３７】
ＣＢＧの機能を変化させることのできる化合物をスクリーニングするために、これらの動物を使用することができる。
【００３８】
化合物のスクリーニングは、その動物にテスト対象の化合物を投与し、その後で、従来の方法により、その動物の中でのＨＰＡ機能の変化を測定することによって行うことができる。
【００３９】
本発明はまた、高コルチゾール血症を軽減する治療を目的として、したがって、肥満、炎症反応及び自己免疫反応への構成的な感受性、あるいは更に、老化の病変あるいは薬物濫用による増感現象などの、高コルチゾール血症に関連する病変の治療をするために、Ｃｂｇ遺伝子の発現及び／またはその合成及び／またはコルチゾールとの結合を変化させることのできる化合物をスクリーニングする方法にも関するものである。その方法には、例えばＨｅｐＧ２細胞のような培養細胞に基づいてＣＢＧタンパク質を生成すること、そして、そのタンパク質の生成について前記化合物をテストすることが含まれている。有利には、そのスクリーニングは大規模なスクリーニングである。
【００４０】
本発明はまた、Ｃｂｇ遺伝子の発現及び／またはその合成及び／またはコルチゾールとの結合を変化させることのできる化合物をスクリーニングする方法にも関するものであり、本発明の特徴は、既に説明したような遺伝子導入動物について、上記のスクリーニング方法によってｉｎ  ｖｉｔｒｏで識別した化合物をｉｎ  ｖｉｖｏでスクリーニングする過程が含まれることである。
【００４１】
本発明によって遺伝子マーカーを識別することにより、構成的高コルチゾール血症を評価し、したがって、上記に示した病変、特に肥満に対する脆弱性を評価することを目的とした、ＣＢＧのための遺伝子検査を実施するための新しい手段を活用することが可能になる。そのような検査はまた、構成的高コルチゾール血症を呈する牧畜動物の選択を重ねていくことにも役立つ。
【００４２】
例えば、そのような方法には、Ｃｂｇ遺伝子の全部または一部を含むサンプルのＤＮＡ領域をＰＣＲによって増幅し、つぎにその領域を分析して、高コルチゾール血症の原因となり、かつ既に説明した方法によって識別済みの可能性のある、少なくとも一つの突然変異の存在を識別することが含まれる。
【００４３】
それゆえ、本発明はまた、被験体、特にヒトの高コルチゾール血症あるいは高コルチゾール血症の素因を診断するために上記の方法を用いることにも関係しているものであって、この方法を用いることによって、ＨＰＡ軸の機能不全、ならびに、肥満、炎症反応及び自己免疫反応への構成的な感受性、あるいは更に（特に認知機能に関わる）老化の病変、あるいは濫用薬剤による増感現象などの、この軸に関連する病気または病気の素因を識別することができるようになるものである。
【００４４】
最後に本発明は、ＣＢＧのアゴニストまたはアンタゴニストとなり、したがってＣＢＧのレベルまたはコルチゾールに対するその親和性に直接作用することができる化合物を識別し、それにより、間接的にコルチコステロイドのレベルを下げることに関するものである。
【００４５】
本発明のほかの利点と特徴とは、豚のＣｂｇ遺伝子における突然変異の識別と、ＣＢＧの分子変異体とコルチゾール生成との間を因果関係で結びつける遺伝的関連の分析とに関する以下の例で明らかになっていく。その際に、次の添付図面を参照していくことになる。
・図１では、放射線ハイブリッドマッピングにより豚のＣｂｇ遺伝子の位置を特定している。Ａでは、血漿コルチゾールの濃度についてＳｓｃｒ７に沿った最大尤度比の推移をセンチメートル単位で示している。Ｂでは、豚の７番染色体のマッピングを放射線ハイブリッドにより行い、その概況を示している。距離の単位はｃＲ7000である。
・図２では、豚のＣｂｇ遺伝子の位置をＦＩＳＨ法により７ｑ２６に特定している。
・図３では、８１頭のＦ２豚について血漿中のＣＢＧ濃度の遺伝的な関連の分析を行っている。
・図４では、Ｃｂｇのゲノム配列における突然変異の検出を行っている。矢印が示すヌクレオチドについては、Ｆ１豚＃９１１００４５とその母に当たるメイシャンとが異型接合体（Ｔ／Ｇ）である一方で、その父に当たるＬＷは同型接合体（Ｇ／Ｇ）である。
【実施例】
【００４６】
Ｉ−材料と方法
１）放射線ハイブリッドパネルマッピング
ＩＭｐＲＨパネルについて別々の二度の反応を起こさせる（Ｙｅｒｌｅ  ｅｔ  ａｌ．，  １９９８）。ＰＣＲ産物の分析をエチジウムブロマイドで染色した後、緩衝剤１×ＴＢＥ中のアガロースゲル２％で行った。調和を欠く結果が得られたクローンについて三度目の増幅を行った。増幅結果のベクターをＩＭｐＲＨバンクに登録した（Ｍｉｌａｎ  ｅｔ  ａｌ．  ２０００）。
【００４７】
２）ＦＩＳＨ法によるマッピング
末梢血リンパ球の培養から分裂中期の染色体を入手した。染色体識別のため、ハイブリダイゼーション前に、Ｇ−Ｔ−Ｇ技法を用いて分裂中期のＧバンドに標識を行い、そして分裂中期の最盛期の画像を前述したビデオ・プリンターで撮影した（Ｙｅｒｌｅ  ｅｔ  ａｌ．，  １９９２）。
【００４８】
ｉｎ  ｓｉｔｕハイブリダイゼーション法の実験をＹｅｒｌｅらの方法に従って行った（Ｙｅｒｌｅ  ｅｔ  ａｌ．，  １９９２）。その際に、幾つかの修正を加えた（Ｓｕｎ  ｅｔ  ａｌ．，  １９９９）。
【００４９】
３）遺伝的関連の分析
正規分布に従ってデータが分布しているということをまず検証した。四つの形質は対数正規分布を呈し、そのデータを分析に先立って対数スコアに変換した。ＱＴＬマッピングを、複数の部位で最大尤度を求める技法によって、実施した。考慮の対象となるマーカーのセットと関連するＱＴＬが有るか（Ｈ１）無いか（Ｈ０）の仮説の下での尤度比として規定された統計的テストを、染色体に沿った各位置（各センチメートル）で計算した。そこで用いた７番染色体のマーカーの地図を、１１００を越える豚の遺伝子型に基づいてＢｉｄａｎｅｌらの方法（２０００）により計算した。仮説Ｈ１に従って、各父母について遺伝子を置換する効果を伴ったＱＴＬをデータに適合させた。確率計算の方法についての他の詳細は、Ｂｉｄａｎｅｌらの文献（２０００）に見いだすことが可能である。置換による平均的効果の推定値の計算を、各位置において、最も高い確率で行った。
【００５０】
染色体に沿った有意水準を、微分モデルと記録の正規分布とを前提にして、データをシミュレーションして経験的に決定した。各形質について合計５００００回のシミュレーションを行った。ゲノム全体の確率Ｐgの検定に対応する染色体試験の有意水準Ｐcを、Ｂｏｎｆｅｒｒｏｎｉの修正を用いて求めた、つまり、Ｐg＝１−（１−Ｐc）19の解として求めたところ、有意なレベル（Ｐg＝０．０５）と非常に有意なレベルとについて、それぞれＰc＝０．００２７と０．００００５４となった（Ｋｎｏｔｔ  ｅｔ  ａｌ．，  １９９８）。
【００５１】
４）ＢＡＣのＤＮＡバンクのスクリーニング
ＢＡＣクローンを、前述したようにＢＡＣクローンの豚バンクの三次元ＰＣＲスクリーニングによって単離した（Ｒｏｇｅｌ−Ｇａｉｌｌａｒｄ  ｅｔ  ａｌ．，  １９９９）。豚のＣＢＧ配列を含むＢＡＣクローン３８３Ｆ４を、以下のようなヒトＣＢＧのエクソン２の配列に基づいて確立した一対のプライマーを用いてクローニングした。
ＦＷ：ＡＣＡＣＣＴＧＴＣＴＴＣＴＣＴＧＧＣＴＧ（ＳＥＱ  ＩＤ  ＮＯ．４）
ＲＥＶ：ＡＣＡＧＧＣＴＧＡＡＧＧＣＡＡＡＧＴＣ（ＳＥＱ  ＩＤ  ＮＯ．５）
【００５２】
各ｄＮＴＰを０．２ｍＭ、ＭｇＣｌ2を１．５ｍＭ；各プライマーを８ｐＭ、ＴａｑＤＮＡポリメラーゼを２Ｕ、そして反応緩衝液を含む、２０μｌの反応総量の中で、９４℃で３０秒、５６℃で３０秒、７２℃で３０秒を３５回繰り返して、ＰＣＲを実施した（Ｐｅｒｋｉｎ−Ｅｌｍｅｒ，  Ｒｏｃｈｅ）。
【００５３】
５）配列決定
配列決定の反応を、自動シーケンサーＰＥ９７０で「Ｐｒｉｓｍ  ＡｍｐｌｉＴａｑ  ＦＳ  ｄｉＣｈｌｏｒｏＲｈｏｄａｍｉｎｅ  Ｄｙｅ  Ｔｅｒｍｉｎａｔｏｒｓ」（Ｐｅｒｋｉｎ  Ｅｌｍｅｒ）というキットで行った。
【００５４】
ＣＢＧの結合力とそのコルチゾールへの親和性とを、Ｃｏｎｃａｖａｌｉｎ  Ａ−セファロースカラムを用いて、固体相への固定試験により４℃で測定した（Ｐｕｇｅａｔ  ｅｔ  ａｌ．，  １９８４）。結合平衡定数（Ｋａ）とコルチゾールに対するＣＢＧの容量とをＳｃａｔｃｈａｒｄ解析により計算したが、その際に、「ｂｏｕｎｄ」をゲルの上に吸収された糖タンパク質に特異的に固定されたコルチゾールの量として、そして「ｆｒｅｅ」を水性相の中でのコルチゾールの濃度として用いた。
【００５５】
７）統計
Ｓｔａｔｉｓｔｉｃａというソフトウエアの第５版を用いて、相関行列を求め、スチューデントのｔ検定を行った。
【００５６】
ＩＩ−結果
１）比較マッピングにより、Ｃｂｇ遺伝子を高コルチゾール血症のＱＴＬの候補として提案することができる。
Ｇｏｕｒｅａｕら（２０００）は、ヒトと豚の染色体断片の対応を、双方向性の染色体着色の分析を用いて説明した。脇にマーカーＳ０１０１とＳｗ７６４とがあるコルチゾールのＱＴＬの位置を豚の７ｑ２．４−７ｑ２．６の領域に特定した。ヒトのオーソロガス領域（Ｈｓａｐ１４ｑ）に位置を特定した遺伝子の中で、Ｈｓａｐ１４ｑ３２．１に位置が特定されたＣＢＧをコードする遺伝子（Ｂｉｌｌｉｎｇｓｌｅｙ  ｅｔ  ａｌ．，  １９９３）が注意を引いた。事実、血漿のコルチゾールの９０％は、肝臓が合成する糖タンパク質であるＣＢＧに固定される。遊離しているコルチゾールだけが活性なので、ＣＢＧの主要な役割はコルチゾールの生物学的利用能にある。そういうわけで、Ｃｂｇ遺伝子は、コルチゾールのレベルに関連するそのＱＴＬのための機能的候補として有力である。
【００５７】
Ｃｂｇ遺伝子は、ヒト、サル、羊およびマウスにおいてクローニングされていたものだったので（Ｈａｍｍｏｎｄ  ｅｔ  ａｌ．，  １９８７；  Ｈａｍｍｏｎｄ  ｅｔ  ａｌ．，  １９９４；  Ｂｅｒｄｕｓｃｏ  ｅｔ  ａｌ．，  １９９３；  Ｏｒａｖａ  ｅｔ  ａｌ．，  １９９４）、入手可能な様々な配列をＭｕｌｔａｌｉｎというプログラムを使ってアラインメントし（Ｃｏｒｐｅｔ，１９８８）、豚のＣｂｇのＰＣＲ断片を入手するために、エクソン２に基づいて、オリゴヌクレオチドコンセンサスプライマーを用意することが可能であった。ＰＣＲ断片の配列が他の種のＣｂｇ遺伝子と高い相同性があることを検証した後、放射線ハイブリッドパネルを使って豚のＣｂｇ遺伝子マッピングをするため、それらプライマーを用いた（Ｙｅｒｌｅ  ｅｔ  ａｌ．，  １９８８）。このとき、図１に示されるように、豚のＣｂｇ遺伝子は、コルチゾールのＱＴＬのように、マーカーＳ０１０１とＳＷ７６４との間にあることがわかった。
【００５８】
この染色体での位置決定は、蛍光ｉｎ  ｓｉｔｕハイブリダイゼーション（ＦＩＳＨ）法により確認した。まず、豚ゲノムのＢＡＣバンクを、豚のＣｂｇ遺伝子のエクソン２を増幅するプライマーを使ってＰＣＲスクリーニングした。ＢＡＣ３８３Ｆ４と名付けられ、豚のＣｂｇ遺伝子のゲノム配列全体を含む、１５０ｋｂのクローンが得られた。このＢＡＣクローンを、分裂中期の広がった染色体に対するＦＩＳＨ法によって豚のＣｂｇ遺伝子のマッピングを行うためのプローブとして用い、そして、図２に示されるように、豚のＣｂｇ遺伝子が染色体７ｑ２６にあることが確認された。
【００５９】
２）ＣＢＧの結合力は、高コルチゾール血症のＱＴＬの脇にあるマーカーに遺伝的に関連している。
ＣＢＧのコルチゾールへの結合力を、初代の交配に基づく、全てがＦ１豚＃９１１０４５の子孫である８１頭のＦ２豚の血漿中で測定した。予想した通り、その測定値とコルチゾールのレベルとの間に強い相関関係が認められた（ｒ＝０．５７）。その新しい表現型の測定値とマーカーＳｓｃ７との間の遺伝的関連を算定した。図３が示すように、確かにコルチゾールのＱＴＬと同じ領域の中に強い遺伝的関連が検出された。確率の最大値は、ＣＢＧの値と共に、上回ってさえいて（ｐ＜５×１０-4）、そのことがそのＱＴＬへのＣｂｇ遺伝子のかかわり合いを更に強固なものにしている。
【００６０】
３）ＣＢＧの結合力はＬＷ豚とＭＳ豚との間で異なる。
タンパク質に関して、コルチゾールへの結合力とＣＢＧの親和定数とを、放射標識結合テストにより、ＬＷとメイシャンとの間で比較した。２種の豚の間で親和性には何の違いも見いだせなかった。しかしながら、以下の表１が示すように、最大結合力は、ＬＷ豚に対して、メイシャン豚が平均して１．６倍も上回っていた（ｐ＜０．００１）。
【００６１】
【表１】
2005507262.tif 000002
【００６２】
４）Ｃｂｇ遺伝子における突然変異の識別
ＢＡＣクローン３８３Ｆ４により、以前にはクローニングされたことのないＣｂｇ遺伝子のゲノム構成と配列の識別が可能になった。他の種におけるのと同様に、豚のＣｂｇ遺伝子の中に５個のエクソンがあり、エクソン２の中にＡＵＧコドンがある。アミノ酸に関しては、本発明者は、豚のＣＢＧタンパク質と、ヒトおよびヒツジのＣＢＧタンパク質との間に、それぞれ６６％と８０％の相同性を見いだした。
【００６３】
突然変異を探るために、父がＬＷで母がメイシャンであるＦ１個体の、エクソンとプロモーター領域の９００ｂｐとの配列を決定した。このＦ１豚（＃９１１０４５）はＱＴＬに対して異型接合体になるはずであったと考えられたが、それは、ＱＴＬの脇にあるマーカーＳ０１０１のどちらかの対立遺伝子を受け取った子の間で、コルチゾールの平均レベルに有意な差があったからである。したがって、その母メイシャン豚は問題の突然変異のところで父ＬＷとは違う対立遺伝子を少なくとも一つもつことになるはずである。このタイプの突然変異は、Ｆ１豚＃９１１０４５のエクソン２の中で識別された。開始コドンＡＴＧから＋１５の位置で、この個体は一方の対立遺伝子について点突然変異Ｇ→Ｔをもつ異型接合体となっている（図４）。このＧ→Ｔ置換は、コドン１５に対応しており、ＣＢＧタンパク質のシグナルペプチドの中で一つのセリンを一つのイソロイシンに変える。ＰＣＲによる増幅テストを以下のパラメーターで最適化した。
センスプライマー：５’−ＣＣＣＴＧＴＡＴＧＣＣＴＧＴＣＴＣＣＴＣ−３’
アンチセンスプライマー：５’−ＣＣＴＧＣＴＣＣＡＡＧＡＡＣＡＡＧＴＣＣ−３’
ＰＣＲの条件：１×ＰＣＲ緩衝液（Ｐｒｏｍｅｇａ）、ＭｇＣｌ2  １．５ｍＭ、ｄＮＴＰ  １００μＭ、各プライマーを１０ｐｍｏｌ、Ｔａｑポリメラーゼ  ０．４Ｕ（Ｐｒｏｍｅｇａ）。
サーマルサイクラーのプログラム：
１）  ９６℃：５分
２）  ９２℃：３０秒
３）  ６０℃：１分
４）  ７２℃：３０秒
５）  ２）３）及び４）の手順を３４回
６）  ７２℃  ２分
【００６４】
［参考文献］
−Ａｒｍａｒｉｏ，  Ａ．，  Ｇａｖａｌｄａ，  Ａ．，  ａｎｄ  Ｍａｒｔｉ，  Ｊ．  （１９９５）．    Ｃｏｍｐａｒｉｓｏｎ  ｏｆ  ｔｈｅ  ｂｅｈａｖｉｏｕｒａｌ  ａｎｄ  ｅｎｄｏｃｒｉｎｅ  ｒｅｓｐｏｎｓｅ  ｔｏ  ｆｏｒｃｅｄ  ｓｗｉｍｍｉｎｇ  ｓｔｒｅｓｓ  ｉｎ  ｆｉｖｅ  ｉｎｂｒｅｄ  ｓｔｒａｉｎｓ  ｏｆ  ｒａｔｓ．    Ｐｓｙｃｈｏｎｅｕｒｏｅｎｄｏｃｒｉｎｏｌｏｇｙ  ２０：８７９−８９０．
−Ｂｅｒｄｕｓｃｏ，  Ｅ．  Ｔ．，  Ｈａｍｍｏｎｄ，  Ｇ．  Ｌ．，  Ｊａｃｏｂｓ，  Ｒ．  Ａ．，  Ｇｒｏｌｌａ，  Ａ．，  Ａｋａｇｉ，  Ｋ．，  Ｌａｎｇｌｏｉｓ，  Ｄ．，  ａｎｄ  Ｃｈａｌｌｉｓ，  Ｊ．  Ｒ．  （１９９３）．    Ｇｌｕｃｏｃｏｒｔｉｃｏｉｄ−ｉｎｄｕｃｅｄ  ｉｎｃｒｅａｓｅ  ｉｎ  ｐｌａｓｍａ  ｃｏｒｔｉｃｏｓｔｅｒｏｉｄ−ｂｉｎｄｉｎｇ  ｇｌｏｂｕｌｉｎ  ｌｅｖｅｌｓ  ｉｎ  ｆｅｔａｌ  ｓｈｅｅｐ  ｉｓ  ａｓｓｏｃｉａｔｅｄ  ｗｉｔｈ  ｉｎｃｒｅａｓｅｄ  ｂｉｏｓｙｎｔｈｅｓｉｓ  ａｎｄ  ａｌｔｅｒａｔｉｏｎｓ  ｉｎ  ｇｌｙｃｏｓｙｌａｔｉｏｎ．    Ｅｎｄｏｃｒｉｎｏｌｏｇｙ  １３２：２００１−２００８．
−Ｂｉｄａｎｅｌ，  Ｊ．  Ｐ．，  Ｍｉｌａｎ，  Ｄ．，  Ｃｈｅｖａｌｅｔ，  Ｃ．，  Ｗｏｌｏｓｚｙｎ，  Ｎ．，  Ｂｏｕｒｇｅｏｉｓ，  Ｆ．，  Ｃａｒｉｔｅｚ，  Ｊ．  Ｃ．，  Ｇｒｕａｎｄ，  Ｊ．，  Ｌｅ  Ｒｏｙ，  Ｐ．，  Ｂｏｎｎｅａｕ，  Ｍ．，  Ｌｅｆａｕｃｈｅｕｒ，  Ｌ．，  Ｍｏｕｒｏｔ，  Ｊ．，  Ｐｒｕｎｉｅｒ，  Ｍ．，  Ｄｅｓａｕｔｅｓ，  Ｃ．，  Ｍｏｒｍｅｄｅ，  Ｐ．，  Ｒｅｎａｒｄ，  Ｃ．，  Ｖａｉｍａｎ，  Ｍ．，  Ｒｏｂｉｃ，  Ａ．，  Ｇｅｌｌｉｎ，  Ｊ．，  ａｎｄ  Ｏｌｌｉｖｉｅｒ，  Ｌ．  （１９９８）．    Ｄｅｔｅｃｔｉｏｎ  ｄｅ  ｌｏｃｕｓ  ａ  ｅｆｆｅｔｓ  ｑｕａｎｔｉｔａｔｉｆｓ  ｄａｎｓ  ｌｅ  ｃｒｏｉｓｅｍｅｎｔ  ｅｎｔｒｅ  ｌｅｓ  ｒａｃｅｓ  ｐｏｒｃｉｎｅｓ  Ｌａｒｇｅ  Ｗｈｉｔｅ  ｅｔ  ｍｅｉｓｈａｎ．    Ｄｉｓｐｏｓｉｔｉｆ  ｅｘｐｅｒｉｍｅｎｔａｌ  ｅｔ  ｐｒｅｍｉｅｒｓ  ｒｅｓｕｌｔａｔｓ．    Ｊｏｕｒｎｅｅｓ  Ｒｅｃｈ  Ｐｏｒｃｉｎｅ  ｅｎ  Ｆｒａｎｃｅ  ３０：１１７−１２５．
−Ｂｉｄａｎｅｌ，  Ｊ．  Ｐ．，  Ｍｉｌａｎ，  Ｄ．，  Ｉａｎｎｕｃｃｅｌｌｉ，  Ｎ．，  Ａｍｉｇｕｅｓ，  Ｙ．，  Ｂｏｓｈｅｒ，  Ｍ．−Ｙ．，  Ｂｏｕｒｇｅｏｉｓ，  Ｆ．，  Ｃａｒｉｔｅｚ，  Ｊ．−Ｃ．，  Ｇｒｕａｎｄ，  Ｊ．，  Ｌｅ  Ｒｏｙ，  Ｐ．，  Ｌａｇａｎｄ，  Ｈ．  Ｂ．  Ｍ．，  Ｌｅｆａｕｃｈｅｕｒ，  Ｌ．，  Ｍｏｕｒｏｔ，  Ｊ．，  Ｐｒｕｎｉｅｒ，  Ａ．，  Ｄｅｓａｕｔｅｓ，  Ｃ．，  Ｍｏｒｍｅｄｅ，  Ｐ．，  Ｒｅｎａｒｄ，  Ｃ．，  Ｖａｉｍａｎ，  Ｍ．，  Ｒｏｂｉｃ，  Ａ．，  Ｇｅｌｌｉｎ，  Ｊ．，  Ｏｌｌｉｖｉｅｒ，  Ｌ．，  ａｎｄ  Ｃｈｅｖａｌｅｔ，  Ｃ．  （２０００）．    Ｄｅｔｅｃｔｉｏｎ  ｄｅ  ｌｏｃｕｓ  ａ  ｅｆｆｅｔｓ  ｑｕａｎｔｉｔａｔｉｆｓ  ｄａｎｓ  ｌｅ  ｃｒｏｉｓｅｍｅｎｔ  ｅｎｔｒｅ  ｌｅｓ  ｒａｃｅｓ  ｐｏｒｃｉｎｅｓ  Ｌａｒｇｅ  Ｗｈｉｔｅ  ｅｔ  Ｍｅｉｓｈａｎ：  Ｒｅｓｕｌｔａｔｓ  ｅｔ  Ｐｅｒｓｐｅｃｔｉｖｅｓ．    Ｊｏｕｒｎｅｅｓ    Ｒｅｃｈ  Ｐｏｒｃｉｎｅ  ｅｎ  Ｆｒａｎｃｅ  ３２：３６９−３８３．
−Ｂｉｌｌｉｎｇｓｌｅｙ，  Ｇ．  Ｄ．，  Ｗａｌｔｅｒ，  Ｍ．
Ａ．，  Ｈａｍｍｏｎｄ，  Ｇ．  Ｌ．，  ａｎｄ  Ｃｏｘ，  Ｄ．  Ｗ．  （１９９３）．    Ｐｈｙｓｉｃａｌ  ｍａｐｐｉｎｇ  ｏｆ  ｆｏｕｒ  ｓｅｒｐｉｎ  ｇｅｎｅｓ：  ａｌｐｈａ  １−ａｎｔｉｔｒｙｐｓｉｎ，  ａｌｐｈａ  １−ａｎｔｉｃｈｙｍｏｔｒｙｐｓｉｎ，  ｃｏｒｔｉｃｏｓｔｅｒｏｉｄ−ｂｉｎｄｉｎｇ  ｇｌｏｂｕｌｉｎ，  ａｎｄ  ｐｒｏｔｅｉｎ  Ｃ  ｉｎｈｉｂｉｔｏｒ，  ｗｉｔｈｉｎ  ａ  ２８０−ｋｂ  ｒｅｇｉｏｎ  ｏｎ  ｃｈｒｏｍｏｓｏｍｅ  Ｉ４ｑ３２．１．    Ａｍ  Ｊ  Ｈｕｍ  Ｇｅｎｅｔ  ５２：３４３−３５３．
−Ｂｕｅｍａｎｎ，  Ｂ．，  Ｖｏｈｌ，  Ｍ．  Ｃ．，  Ｃｈａｇｎｏｎ，  Ｍ．，  Ｃｈａｇｎｏｎ，  Ｙ．  Ｃ．，  Ｇａｇｎｏｎ，  Ｊ．，  Ｐｅｒｕｓｓｅ，  Ｌ．，  Ｄｉｏｎｎｅ，  Ｆ．，  Ｄｅｓｐｒｅｓ，  Ｊ．  Ｐ．，  Ｔｒｅｍｂｌａｙ，  Ａ．，  Ｎａｄｅａｕ，  Ａ．，  ａｎｄ  Ｂｏｕｃｈａｒｄ，  Ｃ．  （１９９７）．    Ａｂｄｏｍｉｎａｌ  ｖｉｓｃｅｒａｌ  ｆａｔ  ｉｓ  ａｓｓｏｃｉａｔｅｄ  ｗｉｔｈ  ａ  ＢｃｌＩ  ｒｅｓｔｒｉｃｔｉｏｎ  ｆｒａｇｍｅｎｔ  ｌｅｎｇｔｈ  ｐｏｌｙｍｏｒｐｈｉｓｍ  ａｔ  ｔｈｅ  ｇｌｕｃｏｃｏｒｔｉｃｏｉｄ  ｒｅｃｅｐｔｏｒ  ｇｅｎｅ  ｌｏｃｕｓ．    Ｏｂｅｓ  Ｒｅｓ  ５：１８６−１９２．
−Ｃｏｒｐｅｔ，  Ｆ．  （１９８８）．    Ｍｕｌｔｉｐｌｅ  ｓｅｑｕｅｎｃｅ  ａｌｉｇｎｍｅｎｔ  ｗｉｔｈ  ｈｉｅｒａｒｃｈｉｃａｌ  ｃｌｕｓｔｅｒｉｎｇ．    Ｎｕｃｌｅｉｃ  Ａｃｉｄｓ  Ｒｅｓ  １６：１０８８１−１０８９０．
−Ｃｒａｖｅ，  Ｊ．  Ｃ．，  Ｌｅｊｅｕｎｅ，  Ｈ．，  Ｂｒｅｂａｎｔ，  Ｃ．，  Ｂａｒｅｔ，  Ｃ．，  ａｎｄ  Ｐｕｇｅａｔ，  Ｍ．  （１９９５）．    Ｄｉｆｆｅｒｅｎｔｉａｌ  ｅｆｆｅｃｔｓ  ｏｆ  ｉｎｓｕｌｉｎ  ａｎｄ  ｉｎｓｕｌｉｎ−ｌｉｋｅ  ｇｒｏｗｔｈ  ｆａｃｔｏｒ  Ｉ  ｏｎ  ｔｈｅ  ｐｒｏｄｕｃｔｉｏｎ  ｏｆ  ｐｌａｓｍａ  ｓｔｅｒｏｉｄ−ｂｉｎｄｉｎｇ  ｇｌｏｂｕｌｉｎｓ  ｂｙ  ｈｕｍａｎ  ｈｅｐａｔｏｂｌａｓｔｏｍａ−  ｄｅｒｉｖｅｄ  （Ｈｅｐ  Ｇ２）  ｃｅｌｌｓ．    Ｊ  Ｃｌｉｎ  Ｅｎｄｏｃｒｉｎｏｌ  Ｍｅｔａｂ  ８０：１２８３−１２８９．
−Ｄｅｓａｕｔｅｓ，  Ｃ．，  Ｂｉｄａｎｅｌ，  Ｊ．  Ｐ．，  ａｎｄ  Ｍｏｒｍｅｄｅ，  Ｐ．  （１９９７）．    Ｇｅｎｅｔｉｃ  ｓｔｕｄｙ  ｏｆ  ｂｅｈａｖｉｏｒａｌ  ａｎｄ  ｐｉｔｕｉｔａｒｙ−ａｄｒｅｎｏｃｏｒｔｉｃａｌ  ｒｅａｃｔｉｖｉｔｙ  ｉｎ  ｒｅｓｐｏｎｓｅ  ｔｏ  ａｎ  ｅｎｖｉｒｏｎｍｅｎｔａｌ  ｃｈａｌｌｅｎｇｅ  ｉｎ  ｐｉｇｓ．    Ｐｈｙｓｉｏｌ  Ｂｅｈａｖ  ６２：３３７−３４５．
−Ｄｅｓａｕｔｅｓ，  Ｃ．，  Ｓａｒｒｉｅａｕ，  Ａ．，  Ｃａｒｉｔｅｚ，  Ｊ．  Ｃ．，  ａｎｄ  Ｍｏｒｍｅｄｅ，  Ｐ．  （１９９９）．    Ｂｅｈａｖｉｏｒ  ａｎｄ  ｐｉｔｕｉｔａｒｙ−ａｄｒｅｎａｌ  ｆｕｎｃｔｉｏｎ  ｉｎ  Ｌａｒｇｅ  Ｗｈｉｔｅ  ａｎｄ  Ｍｅｉｓｈａｎ  ｐｉｇｓ．    Ｄｏｍｅｓｔｉｃ  ａｎｉｍａｌ  ｅｎｄｏｃｒｉｎｏｌｏｇｙ  １６：１９３−２０５．
−Ｅｍｐｔｏｚ−Ｂｏｎｎｅｔｏｎ，  Ａ．，  Ｃｏｕｓｉｎ，  Ｐ．，  Ｓｅｇｕｃｈｉ，  Ｋ．，  Ａｖｖａｋｕｍｏｖ，  Ｇ．  Ｖ．，  Ｂｕｌｌｙ，  Ｃ．，  Ｈａｍｍｏｎｄ，  Ｇ．  Ｌ．，  ａｎｄ  Ｐｕｇｅａｔ，  Ｍ．  （２０００）．  Ｎｏｖｅｌ  ｈｕｍａｎ  ｃｏｒｔｉｃｏｓｔｅｒｏｉｄ−ｂｉｎｄｉｎｇ  ｇｌｏｂｕｌｉｎ  ｖａｒｉａｎｔ  ｗｉｔｈ  ｌｏｗ  ｃｏｒｔｉｓｏｌ−ｂｉｎｄｉｎｇ  ａｆｆｉｎｉｔｙ．    Ｊ  Ｃｌｉｎ  Ｅｎｄｏｃｒｉｎｏｌ  Ｍｅｔａｂ  ８５：３６１−３６７．
−Ｆｅｒｎａｎｄｅｚ−Ｒｅａｌ，  Ｊ．  Ｍ．，  Ｇｒａｓａ，  Ｍ．，  Ｃａｓａｍｉｔｊａｎａ，  Ｒ．，  Ｐｕｇｅａｔ，  Ｍ．，  Ｂａｒｒｅｔ，  Ｃ．，  ａｎｄ  Ｒｉｃａｒｔ，  Ｗ．  （１９９９）．  Ｐｌａｓｍａ  ｔｏｔａｌ  ａｎｄ  ｇｌｙｃｏｓｙｌａｔｅｄ  ｃｏｒｔｉｃｏｓｔｅｒｏｉｄ−ｂｉｎｄｉｎｇ  ｇｌｏｂｕｌｉｎ  ｌｅｖｅｌｓ  ａｒｅ  ａｓｓｏｃｉａｔｅｄ  ｗｉｔｈ  ｉｎｓｕｌｉｎ  ｓｅｃｒｅｔｉｏｎ．  Ｊ  Ｃｌｉｎ  Ｅｎｄｏｃｒｉｎｏｌ  Ｍｅｔａｂ  ８４：３１９２−３１９６．
−Ｆｅｒｎａｎｄｅｚ−Ｒｅａｌ，  Ｊ．  Ｍ．，  Ｇｒａｓａ，  Ｍ．，  Ｃａｓａｍｉｔｊａｎａ，  Ｒ．，  ａｎｄ  Ｒｉｃａｒｔ，  Ｗ．  （２０００）．    Ｔｈｅ  ｉｎｓｕｌｉｎ  ｒｅｓｉｓｔａｎｃｅ  ｓｙｎｄｒｏｍｅ  ａｎｄ  ｔｈｅ  ｂｉｎｄｉｎｇ  ｃａｐａｃｉｔｙ  ｏｆ  ｃｏｒｔｉｓｏｌ  ｂｉｎｄｉｎｇ  ｇｌｏｂｕｌｉｎ  （ＣＢＧ）  ｉｎ  ｍｅｎ  ａｎｄ  ｗｏｍｅｎ．    Ｃｌｉｎ  Ｅｎｄｏｃｒｉｎａｌ  （Ｏｘｆ）  ５２：９３−９９．
−Ｇｏｕｒｅａｕ，  Ａ．，  Ｖｉｇｎｏｌｅｓ，  Ｍ．，  Ｐｉｎｔｏｎ，  Ｐ．，  Ｇｅｌｌｉｎ，  Ｊ．，  ａｎｄ  Ｙｅｒｌｅ，  Ｍ．  （２０００）．    Ｉｍｐｒｏｖｅｍｅｎｔ  ｏｆ  ｃｏｍｐａｒａｔｉｖｅ  ｍａｐ  ｂｅｔｗｅｅｎ  ｐｏｒｃｉｎｅ  ｃｈｒｏｍｏｓｏｍｅｓ  １  ａｎｄ  ７  ａｎｄ  ｈｕｍａｎ  ｃｈｒｏｍｏｓｏｍｅｓ  ６，  １４  ａｎｄ  １５  ｂｙ  ｕｓｉｎｇ  ｈｕｍａｎ  ＹＡＣｓ．    Ｍａｍｍ  Ｇｅｎｏｍｅ  １１：７９６−７９９．
−Ｈａｍｍｏｎｄ，  Ｇ．  Ｌ．  （１９９５）．  Ｐｏｔｅｎｔｉａｌ  ｆｕｎｃｔｉｏｎｓ  ｏｆ  ｐｌａｓｍａ  ｓｔｅｒｏｉｄ−ｂｉｎｄｉｎｇ  ｐｒｏｔｅｉｎｓ．    Ｔｒｅｎｄｓ  ｉｎ  Ｅｎｄｏｃｒｉｎｏｌｏｇｙ  ａｎｄ  Ｍｅｔａｂｏｌｉｓｍ  ６：２９８−３０４．
−Ｈａｍｍｏｎｄ，  Ｇ．  Ｌ．，  Ｓｍｉｔｈ，  Ｃ．  Ｌ．，  Ｇｏｐｉｎｇ  Ｉ．  Ｓ．，  Ｕｎｄｅｒｈｉｌｌ，  Ｄ．  Ａ．，  Ｈａｒｌｅｙ，  Ｍ．  Ｊ．，  Ｒｅｖｅｎｔｏｓ，  Ｊ．，  Ｍｕｓｔｏ，  Ｎ．  Ａ．，  Ｇｕｎｓａｌｕｓ，  Ｇ，  Ｌ．，  ａｎｄ  Ｂａｒｄｉｎ，  Ｃ．  Ｗ．  （１９８７）．    Ｐｒｉｍａｒｙ  ｓｔｒｕｃｔｕｒｅ  ｏｆ  ｈｕｍａｎ  ｃｏｒｔｉｃｏｓｔｅｒｏｉｄ  ｂｉｎｄｉｎｇ  ｇｌｏｂｕｌｉｎ，  ｄｅｄｕｃｅｄ  ｆｒｏｍ  ｈｅｐａｔｉｃ  ａｎｄ  ｐｕｌｍｏｎａｒｙ  ｃＤＮＡｓ，  ｅｘｈｉｂｉｔｓ  ｈｏｍｏｌｏｇｙ  ｗｉｔｈ  ｓｅｒｉｎｅ  ｐｒｏｔｅａｓｅ  ｉｎｈｉｂｉｔｏｒｓ．    Ｐｏｒｃ  Ｎａｔｌ  Ａｃａｄ  Ｓｃｉ  Ｕ  Ｓ  Ａ  ８４：５１５３−５１５７．
−Ｈａｍｍｏｎｄ，  Ｇ．  Ｌ．，  Ｓｍｉｔｈ，  Ｃ．  Ｌ．，  Ｌａｈｔｅｅｎｍａｋｉ，  Ｐ．，  Ｇｒｏｌｌａ，  Ａ．，  Ｗａｒｍｅｌｓ−Ｒｏｄｅｎｈｉｓｅｒ，  Ｓ．，  Ｈｏｄｇｅｒｔ，  Ｈ．，  Ｍｕｒａｉ，  Ｊ．  Ｔ．，  ａｎｄ  Ｓｉｉｔｅｒｉ，  Ｐ．  Ｋ．  （１９９４）．    Ｓｑｕｉｒｒｅｌ  ｍｏｎｋｅｙ  ｃｏｒｔｉｃｏｓｔｅｒｏｉｄ−ｂｉｎｄｉｎｇ  ｇｌｏｂｕｌｉｎ：  ｐｒｉｍａｒｙ  ｓｔｒｕｃｔｕｒｅ  ａｎｄ  ｃｏｍｐａｒｉｓｏｎ  ｗｉｔｈ  ｔｈｅ  ｈｕｍａｎ  ｐｒｏｔｅｉｎ．    Ｅｎｄｏｃｒｉｎｏｌｏｇｙ  １３４：８９１−８９８．
−Ｈａｍｍｏｎｄ，  Ｇ．  Ｌ．，  Ｓｍｉｔｈ，  Ｃ．  Ｌ．，  Ｐａｔｅｒｓｏｎ，  Ｎ．  Ａ．，  ａｎｄ  Ｓｉｂｂａｌｄ，  Ｗ．  Ｊ．  （１９９０）．    Ａ  ｒｏｌｅ  ｆｏｒ  ｃｏｒｔｉｃｏｓｔｅｒｏｉｄ−ｂｉｎｄｉｎｇ  ｇｌｏｂｕｌｉｎ  ｉｎ  ｄｅｌｉｖｅｒｙ  ｏｆ  ｃｏｒｔｉｓｏｌ  ｔｏ  ａｃｔｉｖａｔｅｄ  ｎｅｕｔｒｏｐｈｉｌｓ．  Ｊ  Ｃｌｉｎ  Ｅｎｄｏｃｒｉｎｏｌ  Ｍｅｔａｂ  ７１：３４−３９．
−Ｋｉｒｓｃｈｂａｕｍ，  Ｃ．，  Ｗｕｓｔ，  Ｓ．，  Ｆａｉｇ，  Ｈ．  Ｇ．，  ａｎｄ  Ｈｅｌｌｈａｍｍｅｒ，  Ｄ．  Ｈ．  （１９９２）．    Ｈｅｒｉｔａｂｉｌｉｔｙ  ｏｆ  ｃｏｒｔｉｓｏｌ  ｒｅｓｐｏｎｓｅｓ  ｔｏ  ｈｕｍａｎ  ｃｏｒｔｉｃｏｔｒｏｐｉｎ−ｒｅｌｅａｓｉｎｇ  ｈｏｒｍｏｎｅ，  ｅｒｇｏｍｅｔｒｙ，  ａｎｄ  ｐｓｙｃｈｏｌｏｇｉｃａｌ  ｓｔｒｅｓｓ  ｉｎ  ｈｕｍａｎｓ．    Ｊ  Ｃｌｉｎ  Ｅｎｄｏｃｒｉｎｏｌ  Ｍｅｔａｂ  ７５：１５２６−１５３０．
−Ｋｎｏｔｔ，  Ｓ．  Ａ．，  Ｍａｒｋｌｕｎｄ，  Ｌ．，  Ｈａｌｅｙ，  Ｃ．  Ｓ．，  Ａｎｄｅｒｓｓｏｎ，  Ｋ．，  Ｄａｖｉｅｓ，  Ｗ．，  Ｅｌｌｅｇｒｅｎ，  Ｈ．，  Ｆｒｅｄｈｏｌｍ，  Ｍ．，  Ｈａｎｓｓｏｎ，  Ｉ．，  Ｈｏｙｈｅｉｍ，  Ｂ．，  Ｌｕｎｄｓｔｒｏｍ，  Ｋ．，  Ｍｏｌｌｅｒ，  Ｍ．，  ａｎｄ  Ａｎｄｅｒｓｓｏｎ，  Ｌ．  （１９９８）．    Ｍｕｌｔｉｐｌｅ  ｍａｒｋｅｒ  ｍａｐｐｉｎｇ  ｏｆ  ｑｕａｎｔｉｔａｔｉｖｅ  ｔｒａｉｔ  ｌｏｃｉ  ｉｎ  ａ  ｃｒｏｓｓ  ｂｅｔｗｅｅｎ  ｏｕｔｂｒｅｄ  ｗｉｌｄ  ｂｏａｒ  ａｎｄ  ｌａｒｇｅ  ｗｈｉｔｅ  ｐｉｇｓ．    Ｇｅｎｅｔｉｃｓ  １４９：１０６９−１０８０．
−Ｌｉｎｋｏｗｓｋｉ，  Ｐ．，  Ｖａｎ  Ｏｎｄｅｒｂｅｒｇｅｎ，  Ａ．，  Ｋｅｒｋｈｏｆｓ，  Ｍ．，  Ｂｏｓｓｏｎ，  Ｄ．，  Ｍｅｎｄｌｅｗｉｃｚ，  Ｊ．，  ａｎｄ  Ｖａｎ  Ｃａｕｔｅｒ，  Ｅ．  （１９９３）．    Ｔｗｉｎ  ｓｔｕｄｙ  ｏｆ  ｔｈｅ  ２４−ｈ  ｃｏｒｔｉｓｏｌ  ｐｒｏｆｉｌｅ：  ｅｖｉｄｅｎｃｅ  ｆｏｒ  ｇｅｎｅｔｉｃ  ｃｏｎｔｒｏｌ  ｏｆ  ｔｈｅ  ｈｕｍａｎ  ｃｉｒｃａｄｉａｎ  ｃｌｏｃｋ．    Ａｍ  Ｊ  Ｐｈｙｓｉｏｌ  ２６４：Ｅ１７３−Ｅ１８１．
−Ｌｕｐｉｅｎ，  Ｓ．  Ｊ．，  ｄｅ  Ｌｅｏｎ，  Ｍ．，  ｄｅ  Ｓａｎｔｉ，  Ｓ．，  Ｃｏｎｖｉｔ，  Ａ，  Ｔａｒｓｈｉｓｈ，  Ｃ．，  Ｎａｉｒ，  Ｎ．  Ｐ．，  Ｔｈａｋｕｒ，  Ｍ．，  ＭｃＥｗｅｎ，  Ｂ．  Ｓ．，  Ｈａｕｇｅｒ，  Ｒ．  Ｌ．，  ａｎｄ  Ｍｅａｎｅｙ，  Ｍ．  Ｊ．  （１９９８）．    Ｃｏｒｔｉｓｏｌ  ｌｅｖｅｌｓ  ｄｕｒｉｎｇ  ｈｕｍａｎ  ａｇｉｎｇ  ｐｒｅｄｉｃｔ  ｈｉｐｐｏｃａｍｐａｌ  ａｔｒｏｐｈｙ  ａｎｄ  ｍｅｍｏｒｙ  ｄｅｆｉｃｉｔｓ  ［ｓｅｅ  ｃｏｍｍｅｎｔｓ］  ［ｐｕｂｌｉｓｈｅｄ  ｅｒｒａｔｕｍ  ａｐｐｅａｒｓ  ｉｎ  Ｎａｔ  Ｎｅｕｒｏｓｃｉ  １９９８  Ａｕｇ；１（４）：３２９］．    Ｎａｔ  Ｎｅｕｒｏｓｃｉ  １：６９−７３．
−Ｍａｒｉｓｓａｌ−Ａｒｖｙ，  Ｎ．，  Ｍｏｒｍｅｄｅ，  Ｐ．，  ａｎｄ  Ｓａｒｒｉｅａｕ，  Ａ．  （１９９９）．    Ｓｔｒａｉｎ  ｄｉｆｆｅｒｅｎｃｅｓ  ｉｎ  ｃｏｒｔｉｃｏｓｔｅｒｏｉｄ  ｒｅｃｅｐｔｏｒ  ｅｆｆｉｃｉｅｎｃｉｅｓ  ａｎｄ  ｒｅｇｕｌａｔｉｏｎ  ｉｎ  Ｂｒｏｗｎ  Ｎｏｒｗａｙ  ａｎｄ  Ｆｉｓｃｈｅｒ  ３４４  ｒａｔｓ．    Ｊ  Ｎｅｕｒｏｅｎｄｏｃｒｉｎｏｌ  １１：２６７−２７３．
−Ｍａｒｉｓｓａｌ−Ａｒｖｙ，  Ｎ．，  Ｒｉｂｏｔ，  Ｅ．，  Ｓａｒｒｉｅａｕ，  Ａ．，  ａｎｄ  Ｍｏｒｍｅｄｅ，  Ｐ．  （２０００）．    Ｉｓ  ｔｈｅ  ｍｉｎｅｒａｌｏｃｏｒｔｉｃｏｉｄ  ｒｅｃｅｐｔｏｒ  ｉｎ  Ｂｒｏｗｎ  Ｎｏｒｗａｙ  ｒａｔｓ  ｃｏｎｓｔｉｔｕｔｉｖｅｌｙ  ａｃｔｉｖｅ？    Ｊ  Ｎｅｕｒｏｅｎｄｏｃｒｉｎｏｌ  １２：５７６−５８８．
−Ｍｅｉｋｌｅ，  Ａ．  Ｗ．，  Ｓｔｒｉｎｇｈａｍ，  Ｊ．  Ｄ．，  Ｗｏｏｄｗａｒｄ，  Ｍ．  Ｇ．，  ａｎｄ  Ｂｉｓｈｏｐ，  Ｄ．  Ｔ．  （１９８８）．    Ｈｅｒｉｔａｂｉｌｉｔｙ  ｏｆ  ｖａｒｉａｔｉｏｎ  ｏｆ  ｐｌａｓｍａ  ｃｏｒｔｉｓｏｌ  ｌｅｖｅｌｓ．    Ｍｅｔａｂｏｌｉｓｍ  ３７：５１４−５１７．
−Ｍｉｌａｎ，  Ｄ．，  Ｈａｗｋｅｎ，  Ｒ．，  Ｃａｂａｕ，  Ｃ．，  Ｌｅｒｏｕｘ，  Ｓ．，  Ｇｅｎｅｔ，  Ｃ．，  Ｌａｈｂｉｂ，  Ｙ．，  Ｔｏｓｓｅｒ，  Ｇ．，  Ｒｏｂｉｃ，  Ａ．，  Ｈａｔｅｙ，  Ｆ．，  Ａｌｅｘａｎｄｅｒ，  Ｌ．，  Ｂｅａｔｔｉｅ，  Ｃ．，  Ｓｃｈｏｏｋ，  Ｌ．，  Ｙｅｒｌｅ，  Ｍ．，  ａｎｄ  Ｇｅｌｌｉｎ，  Ｊ．  （２０００）．    ＩＭｐＲＨ  ｓｅｒｖｅｒ：  ａｎ  ＲＨ  ｍａｐｐｉｎｇ  ｓｅｒｖｅｒ  ａｖａｉｌａｂｌｅ  ｏｎ  ｔｈｅ  Ｗｅｂ  ［Ｉｎ  Ｐｒｏｃｅｓｓ  Ｃｉｔａｔｉｏｎ］．    Ｂｉｏｉｎｆｏｒｍａｔｉｃｓ  １６：５５８−５５９．
−Ｍｏｉｓａｎ，  Ｍ．  Ｐ．，  Ｃｏｕｒｖｏｉｓｉｅｒ，  Ｈ．，  Ｂｉｈｏｒｅａｕ，  Ｍ．  Ｔ．，  Ｇａｕｇｕｉｅｒ，  Ｄ．，  Ｈｅｎｄｌｅｙ，  Ｅ．  Ｄ．，  Ｌａｔｈｒｏｐ，  Ｍ．，  Ｊａｍｅｓ，  Ｍ．  Ｒ．，  ａｎｄ  Ｍｏｒｍｅｄｅ，  Ｐ．  （１９９６）．    Ａ  ｍａｊｏｒ  ｑｕａｎｔｉｔａｔｉｖｅ  ｔｒａｉｔ  ｌｏｃｕｓ  ｉｎｆｌｕｅｎｃｅｓ  ｈｙｐｅｒａｃｔｉｖｉｔｙ  ｉｎ  ｔｈｅ  ＷＫＨＡ  ｒａｔ．    Ｎａｔ  Ｇｅｎｅｔ  １４：４７１−４７３．
−Ｍｏｒｍｅｄｅ，  Ｐ．，  Ｄａｎｔｚｅｒ，  Ｒ．，  Ｂｌｕｔｈｅ，  Ｒ．−Ｍ．，  ａｎｄ  Ｃａｒｉｔｅｚ，  Ｊ．−Ｃ．  （１９８４）．    Ｄｉｆｆｅｒｅｎｃｅｓ  ｉｎ  ａｄａｐｔｉｖｅ  ａｂｉｌｉｔｉｅｓ  ｏｆ  ｔｈｒｅｅ  ｂｒｅｅｄｓ  ｏｆ  ｃｈｉｎｅｓｅ  ｐｉｇｓ．    Ｇｅｎｅｔ  Ｓｅｌ  Ｅｖｏｌ  １６：８５−１０２．
−Ｏｒａｖａ，  Ｍ．，  Ｚｈａｏ，  Ｘ．  Ｆ．，  Ｌｅｉｔｅｒ，  Ｅ．，  ａｎｄ  Ｈａｍｍｏｎｄ，  Ｇ．  Ｌ．  （１９９４）．    Ｓｔｒｕｃｔｕｒｅ  ａｎｄ  Ｃｈｒｏｍｏｓｏｍａｌ  ｌｏｃａｔｉｏｎ  ｏｆ  ｔｈｅ  ｇｅｎｅ  ｅｎｃｏｄｉｎｇ  ｍｏｕｓｅ  ｃｏｒｔｉｃｏｓｔｅｒｏｉｄ−ｂｉｎｄｉｎｇ  ｇｌｏｂｕｌｉｎ：  ｓｔｒａｉｎ  ｄｉｆｆｅｒｅｎｃｅｓ  ｉｎ  ｃｏｄｉｎｇ  ｓｅｑｕｅｎｃｅ  ａｎｄ  ｓｔｅｒｏｉｄ−ｂｉｎｄｉｎｇ  ａｃｔｉｖｉｔｙ．  Ｇｅｎｅ  １４４：２５９−２６４．
−Ｐｉａｚｚａ，  Ｐ．  Ｖ．  ａｎｄ  Ｌｅ  Ｍｏａｌ，  Ｍ．  （１９９８）．    Ｔｈｅ  ｒｏｌｅ  ｏｆ  ｓｔｒｅｓｓ  ｉｎ  ｄｒｕｇ  ｓｅｌｆ−ａｄｍｉｎｉｓｔｒａｔｉｏｎ．    Ｔｒｅｎｄｓ  Ｐｈａｒｍａｃｏｌ  Ｓｃｉ  １９：６７−７４．
−Ｐｕｇｅａｔ，  Ｍ．  Ｍ．，  Ｃｈｒｏｕｓｏｓ，  Ｇ．  Ｐ．，  Ｎｉｓｕｌａ，  Ｂ．  Ｃ．，  Ｌｏｒｉａｕｘ，  Ｄ．  Ｌ．，  Ｂｒａｎｄｏｎ，  Ｄ．，  ａｎｄ  Ｌｉｐｓｅｔｔ，  Ｍ．  Ｂ．  （１９８４）．    Ｐｌａｓｍａ  ｃｏｒｔｉｓｏｌ  ｔｒａｎｓｐｏｒｔ  ａｎｄ  ｐｒｉｍａｔｅ  ｅｖｏｌｕｔｉｏｎ．    Ｅｎｄｏｃｒｉｎｏｌｏｇｙ  １１５：３５７−３６１．
−Ｒｏｇｅｌ−Ｇａｉｌｌａｒｄ，  Ｃ．，  Ｂｏｕｒｇｅａｕｘ，  Ｎ．，  Ｂｉｌｌａｕｌｔ，  Ａ．，  Ｖａｉｍａｎ，  Ｍ．，  ａｎｄ  Ｃｈａｒｄｏｎ，  Ｐ．  （１９９９）．  Ｃｏｎｓｔｒｕｃｔｉｏｎ  ｏｆ  ａ  ｓｗｉｎｅ  ＢＡＣ  ｌｉｂｒａｒｙ：  ａｐｐｌｉｃａｔｉｏｎ  ｔｏ  ｔｈｅ  ｃｈａｒａｃｔｅｒｉｚａｔｉｏｎ  ａｎｄ  ｍａｐｐｉｎｇ  ｏｆ  ｐｏｒｃｉｎｅ  ｔｙｐｅ  Ｃ  ｅｎｄｏｖｉｒａｌ  ｅｌｅｍｅｎｔｓ．    Ｃｙｔｏｇｅｎｅｔ  Ｃｅｌｌ  Ｇｅｎｅｔ  ８５：２０５−２１１．
−Ｒｏｓｍｏｎｄ，  Ｒ．，  Ｄａｌｌｍａｎ，  Ｍ．  Ｆ．，  ａｎｄ  Ｂｊｏｒｎｔｏｒｐ，  Ｐ．  （１９９８）．  Ｓｔｒｅｓｓ−ｒｅｌａｔｅｄ  ｃｏｒｔｉｓｏｌ  ｓｅｃｒｅｔｉｏｎ  ｉｎ  ｍｅｎ：  ｒｅｌａｔｉｏｎｓｈｉｐｓ  ｗｉｔｈ  ａｂｄｏｍｉｎａｌ  ｏｂｅｓｉｔｙ  ａｎｄ  ｅｎｄｏｃｒｉｎｅ，  ｍｅｔａｂｏｌｉｃ  ａｎｄ  ｈｅｍｏｄｙｎａｍｉｃ  ａｂｎｏｒｍａｌｉｔｉｅｓ  ［ｓｅｅ  ｃｏｍｍｅｎｔｓ］．  Ｊ  Ｃｌｉｎ  Ｅｎｄｏｃｒｉｎｏｌ  Ｍｅｔａｂ  ８３：１８５３−１８５９．
−Ｓａｍｂｒｏｏｋ，  Ｊ．，  Ｆｒｉｔｓｃｈ，  Ｅ．  Ｆ．，  ａｎｄ  Ｍａｎｉａｔｉｓ，  Ｔ．  １９８９    Ｍｏｌｅｃｕｌａｒ  ｃｌｏｎｉｎｇ：  Ａ  ｌａｂｏｒａｔｏｒｙ  ｍａｎｕａｌ，  ２ｎｄ  ｅｄｉｔｉｏｎ．  Ｃｏｌｄ  Ｓｐｒｉｎｇ  Ｈａｒｂｏｒ  Ｌａｂｏｒａｔｏｒｙ  Ｐｒｅｓｓ，  Ｃｏｌｄ  Ｓｐｒｉｎｇ  Ｈａｒｂｏｒ，  Ｎｅｗ  Ｙｏｒｋ．
−Ｓｍｉｔｈ，  Ｃ．  Ｌ．  ａｎｄ  Ｈａｍｍｏｎｄ，  Ｇ．  Ｌ．  （１９９１）．  Ａｎ  ａｍｉｎｏ  ａｃｉｄ  ｓｕｂｓｔｉｔｕｔｉｏｎ  ｉｎ  ｂｉｏｂｒｅｅｄｉｎｇ  ｒａｔ  ｃｏｒｔｉｃｏｓｔｅｒｏｉｄ  ｂｉｎｄｉｎｇ  ｇｌｏｂｕｌｉｎ  ｒｅｓｕｌｔｓ  ｉｎ  ｒｅｄｕｃｅｄ  ｓｔｅｒｏｉｄ  ｂｉｎｄｉｎｇ  ａｆｆｉｎｉｔｙ．  Ｊ  Ｂｉｏｌ  Ｃｈｅｍ  ２６６：１８５５５−１８５５９．
−Ｓｍｉｔｈ，  Ｃ．  Ｌ．，  Ｐｏｗｅｒ，  Ｓ．  Ｇ．，  ａｎｄ  Ｈａｍｍｏｎｄ，  Ｇ．  Ｌ．  （１９９２）．  Ａ  Ｌｅｕ−−−−Ｈｉｓ  ｓｕｂｓｔｉｔｕｔｉｏｎ  ａｔ  ｒｅｓｉｄｕｅ  ９３  ｉｎ  ｈｕｍａｎ  ｃｏｒｔｉｃｏｓｔｅｒｏｉｄ  ｂｉｎｄｉｎｇ  ｇｌｏｂｕｌｉｎ  ｒｅｓｕｌｔｓ  ｉｎ  ｒｅｄｕｃｅｄ  ａｆｆｉｎｉｔｙ  ｆｏｒ  ｃｏｒｔｉｓｏｌ．    Ｊ  Ｓｔｅｒｏｉｄ  Ｂｉｏｃｈｅｍ  Ｍｏｌ  Ｂｉｏｌ  ４２：６７１−６７６．
−Ｓｔｅｒｎｂｅｒｇ，  Ｅ．  ａｎｄ  Ｇｏｌｄ，  Ｐ  （１９９７）．    Ｅｍｏｔｉｏｎｓ  ａｎｄ  ｄｉｓｅａｓｅ．    Ｆｒｏｍ  ｂａｌａｎｃｅ  ｏｆ  ｈｕｍｏｒｓ  ｔｏ  ｂａｌａｎｃｅ  ｏｆ  ｍｏｌｅｃｕｌｅ．    Ｎａｔｕｒｅ  Ｍｅｄｉｃｉｎｅ  ３：２６４−２６７．
−Ｓｕｎ，  Ｈ．  Ｆ．，  Ｅｒｎｓｔ，  Ｃ．  Ｗ．，  Ｙｅｒｌｅ，  Ｍ．，  Ｐｉｎｔｏｎ，  Ｐ．，  Ｒｏｔｈｓｃｈｉｌｄ，  Ｍ．  Ｆ．，  Ｃｈａｒｄｏｎ，  Ｐ．，  Ｒｏｇｅｌ−Ｇａｉｌｌａｒｄ，  Ｃ．，  ａｎｄ  Ｔｕｇｇｌｅ，  Ｃ．  Ｋ．  （１９９９）．    Ｈｕｍａｎ  ｃｈｒｏｍｏｓｏｍｅ  ３  ａｎｄ  ｐｉｇ  ｃｈｒｏｍｏｓｏｍｅ  １３  ｓｈｏｗ  ｃｏｍｐｌｅｔｅ  ｓｙｎｔｅｎｙ  ｃｏｎｓｅｒｖａｔｉｏｎ  ｂｕｔ  ｅｘｔｅｎｓｉｖｅ  ｇｅｎｅ−ｏｒｄｅｒ  ｄｉｆｆｅｒｅｎｃｅｓ．    Ｃｙｔｏｇｅｎｅｔ  Ｃｅｌｌ  Ｇｅｎｅｔ  ８５：２７３−２７８．
−Ｔｏｒｐｙ，  Ｄ．  Ｊ．，  Ｂａｃｈｍａｎｎ，  Ａ．  Ｗ．，  Ｇｒｉｃｅ，  Ｊ．  Ｅ．，  Ｆｉｔｚｇｅｒａｌｄ，  Ｓ．  Ｐ．，  Ｐｈｉｌｌｉｐｓ，  Ｐ．  Ｊ．，  Ｗｈｉｔｗｏｒｔｈ，  Ｊ．  Ａ．，  Ｊａｃｋｓｏｎ，  Ｒ．  Ｖ．  （２００１）  ｉｎ  ｐｒｅｓｓ  Ｊ  Ｃｌｉｎ  Ｅｎｄｏｃｒｉｎｏｌ  Ｍｅｔａｂ  ８６  （６）．
−Ｖａｎ  Ｂａｅｌｅｎ，  Ｈ．，  Ｂｒｅｐｏｅｌｓ，  Ｒ．，  ａｎｄ  Ｄｅ  Ｍｏｏｒ，  Ｐ．  （１９８２）．    Ｔｒａｎｓｃｏｒｔｉｎ  Ｌｅｕｖｅｎ：  ａ  ｖａｒｉａｎｔ  ｏｆ  ｈｕｍａｎ  ｃｏｒｔｉｃｏｓｔｅｒｏｉｄ−ｂｉｎｄｉｎｇ  ｇｌｏｂｕｌｉｎ  ｗｉｔｈ  ｄｅｃｒｅａｓｅｄ  ｃｏｒｔｉｓｏｌ−ｂｉｎｄｉｎｇ  ａｆｆｉｎｉｔｙ．  Ｊ  Ｂｉｏｌ  Ｃｈｅｍ  ２５７：３３９７−３４００．
−Ｗａｒｄｅｎ，  Ｃ．  Ｈ．，  Ｆｉｓｌｅｒ，  Ｊ．  Ｓ．，  Ｓｈｏｅｍａｋｅｒ，  Ｓ．  Ｍ．，  Ｗｅｎ，  Ｐ．  Ｚ．，  Ｓｖｅｎｓｏｎ，  Ｋ．  Ｌ．，  Ｐａｃｅ，  Ｍ．  Ｊ．，  ａｎｄ  Ｌｕｓｉｓ，  Ａ．  Ｊ．  （１９９５）．    Ｉｄｅｎｔｉｆｉｃａｔｉｏｎ  ｏｆ  ｆｏｕｒ  ｃｈｒｏｍｏｓｏｍａｌ  ｌｏｃｉ  ｄｅｔｅｒｍｉｎｉｎｇ  ｏｂｅｓｉｔｙ  ｉｎ  ａ  ｍｕｌｔｉｆａｃｔｏｒｉａｌ  ｍｏｕｓｅ  ｍｏｄｅｌ．    Ｊ  Ｃｌｉｎ  Ｉｎｖｅｓｔ  ９５：１５４５−１５５２．
−Ｙｅｒｌｅ，  Ｍ．，  Ｇａｌｍａｎ，  Ｏ．，  Ｌａｈｂｉｂ−Ｍａｎｓａｉｓ，  Ｙ．，  ａｎｄ  Ｇｅｌｌｉｎ，  Ｊ．  （１９９２）．    Ｌｏｃａｌｉｚａｔｉｏｎ  ｏｆ  ｔｈｅ  ｐｉｇ  ｌｕｔｅｉｎｉｚｉｎｇ  ｈｏｒｍｏｎｅ／ｃｈｏｒｉｏｇｏｎａｄｏｔｒｏｐｉｎ  ｒｅｃｅｐｔｏｒ  ｇｅｎｅ  （ＬＨＣＧＲ）  ｂｙ  ｒａｄｉｏａｃｔｉｖｅ  ａｎｄ  ｎｏｎｒａｄｉｏａｃｔｉｖｅ  ｉｎ  ｓｉｔｕ  ｈｙｂｒｉｄｉｚａｔｉｏｎ．    Ｃｙｔｏｇｅｎｅｔ  Ｃｅｌｌ  Ｇｅｎｅｔ  ５９：４８−５１．
−Ｙｅｒｌｅ，  Ｍ．，  Ｐｉｎｔｏｎ，  Ｐ．，  Ｒｏｂｉｃ，  Ａ．，  Ａｌｆｏｎｓｏ，  Ａ．，  Ｐａｌｖａｄｅａｕ，  Ｙ．，  Ｄｅｌｃｒｏｓ，  Ｃ．，  Ｈａｗｋｅｎ，  Ｒ．，  Ａｌｅｘａｎｄｅｒ，  Ｌ．，  Ｂｅａｔｔｉｅ，  Ｃ．，  Ｓｃｈｏｏｋ，  Ｌ．，  Ｍｉｌａｎ，  Ｄ．，  ａｎｄ  Ｇｅｌｌｉｎ，  Ｊ．  （１９９８）．    Ｃｏｎｓｔｒｕｃｔｉｏｎ  ｏｆ  ａ  ｗｈｏｌｅ−ｇｅｎｏｍｅ  ｒａｄｉａｔｉｏｎ  ｈｙｂｒｉｄ  ｐａｎｅｌ  ｆｏｒ  ｈｉｇｈ−ｒｅｓｏｌｕｔｉｏｎ  ｇｅｎｅ  ｍａｐｐｉｎｇ  ｉｎ  ｐｉｇｓ．    Ｃｙｔｏｇｅｎｅｔ  Ｃｅｌｌ  Ｇｅｎｅｔ  ８２：１８２−１８８．
【図面の簡単な説明】
【００６５】
【図１】放射線ハイブリッドマッピングの結果を示した図。
【図２】豚のＣｂｇ遺伝子の位置を示した写真。
【図３】豚の血漿中ＣＢＧ濃度の遺伝的な関連を示したグラフ。
【図４】Ｃｂｇ遺伝子における点突然変異を示した図。
【図５】背中の脂肪の厚みと高コルチゾール血症のＱＴＬとの間の遺伝的関連を示したグラフ。
【図１】
2005507262.tif 000003
【図３】
2005507262.tif 000004
【図４】
2005507262.tif 000005
【図５】
2005507262.tif 000006
【国際公開パンフレット】
2005507262.tif 000007
2005507262.tif 000008
2005507262.tif 000009
2005507262.tif 000010
2005507262.tif 000011
2005507262.tif 000012
2005507262.tif 000013
2005507262.tif 000014
2005507262.tif 000015
2005507262.tif 000016
2005507262.tif 000017
2005507262.tif 000018
2005507262.tif 000019
2005507262.tif 000020
2005507262.tif 000021
2005507262.tif 000022
2005507262.tif 000023
2005507262.tif 000024
2005507262.tif 000025
2005507262.tif 000026
2005507262.tif 000027
2005507262.tif 000028
2005507262.tif 000029
2005507262.tif 000030
2005507262.tif 000031
2005507262.tif 000032
2005507262.tif 000033
2005507262.tif 000034
2005507262.tif 000035
2005507262.tif 000036
2005507262.tif 000037
2005507262.tif 000038
2005507262.tif 000039
2005507262.tif 000040
2005507262.tif 000041
2005507262.tif 000042
2005507262.tif 000043
2005507262.tif 000044
2005507262.tif 000045
2005507262.tif 000046
2005507262.tif 000047
2005507262.tif 000048
2005507262.tif 000049
2005507262.tif 000050
【手続補正書】
【提出日】平成15年8月25日(2003.8.25)
【手続補正１】
【補正対象書類名】特許請求の範囲
【補正対象項目名】全文
【補正方法】変更
【補正の内容】
【特許請求の範囲】
【請求項１】
Ｃｂｇ遺伝子の全部または一部を含む幾つかの個体の核酸配列を比較すること、および、Ｃｂｇ遺伝子またはそれに隣接する配列における突然変異を識別することを含むことを特徴とする、高コルチゾール血症表現型に関連する多型マーカーの識別方法。
【請求項２】
前記核酸配列が、Ｃｂｇ遺伝子の一部または好適には１００ｋｂ以下の距離で隣接する３’もしくは５’配列を含むゲノムＤＮＡ配列であることを特徴とする、請求項１に記載の方法。
【請求項３】
Ｃｂｇ遺伝子または好適には１００ｋｂ以下の距離で隣接する３’もしくは５’配列の中に含まれる核酸配列の全部または一部からなる、高コルチゾール血症表現型に関与する多型マーカー。
【請求項４】
マイクロサテライト、挿入／欠失多型、制限断片長多型（ＲＦＬＰ）または単一ヌクレオチド多型（ＳＮＰ）を含むグループから選択されることを特徴とする、請求項３に記載の多型マーカー。
【請求項５】
請求項３または４に記載のマーカーの脇に、Ｃｂｇ遺伝子配列の５個から５０個、好適には１０個から３０個の連続するヌクレオチド、または、好適には１００ｋｂ以下の距離で隣接する３’もしくは５’配列を含むことを特徴とする、ヌクレオチドプライマー。
【請求項６】
多型マーカーを用いて、高コルチゾール血症及びそれに関連する病変を進行させるおそれのある個体を識別するための遺伝子スクリーニング方法であって、
ｉ）ある個体のゲノムＤＮＡを精製し、つぎに、
ｉｉ）前記ＤＮＡに基づき、ＰＣＲによって、請求項３または４に記載の多型マーカーを含む遺伝子座を増幅し、そして、
ｉｉｉ）増幅した前記ＤＮＡのなかで前記多型マーカーの一つまたは複数の対立遺伝子を検出する
ことを含むことを特徴とする方法。
【請求項７】
ＤＮＡサンプルに基づいて高コルチゾール血症の遺伝子マーカーのテストを行えるようにする、請求項６に記載の方法を活用するためのキットであって、請求項５に記載の一対のヌクレオチドプライマー、ＰＣＲ試薬、ならびに場合によっては、反応のネガティブコントロール及びポジティブコントロール、ならびにマーカーを含むことを特徴とするキット。
【請求項８】
ＨＰＡ軸の機能不全、ならびに、肥満、炎症反応及び自己免疫反応への構成的な感受性、あるいは更に（特に認知機能に関わる）老化の病変、あるいは濫用薬剤による増感現象などの、この軸に関連する病気または病気の素因を識別することのできる、被験体、特にヒトの高コルチゾール血症あるいは高コルチゾール血症の素因を診断するための、請求項６に記載の方法の使用。
【請求項９】
高コルチゾール血症を進行させる確率が高く、肥満率の高い牧畜動物、特に豚を選択するため、あるいは選択を重ねていくための、請求項６に記載の方法の使用。
【請求項１０】
請求項３または４に記載の多型マーカーの対立遺伝子が、
・ＳＥＱ  ＩＤ  ＮＯ．１の部位１３３に対応する、Ｇ→Ｔの転位
・ＳＥＱ  ＩＤ  ＮＯ．１の部位１３４に対応する、Ｃ→Ｔの転位
・ＳＥＱ  ＩＤ  ＮＯ．１の部位５３９に対応する、Ｔ→Ｃの転位
・ＳＥＱ  ＩＤ  ＮＯ．１の部位６２０に対応する、Ａ→Ｇの転位
・ＳＥＱ  ＩＤ  ＮＯ．１の部位６２６に対応する、Ｇ→Ａの転位
・ＳＥＱ  ＩＤ  ＮＯ．１の部位８５９に対応する、Ｃ→Ｔの転位
・ＳＥＱ  ＩＤ  ＮＯ．１の部位８６６に対応する、Ｃ→Ｔの転位
・ＳＥＱ  ＩＤ  ＮＯ．１の部位８８２に対応する、Ａ→Ｇの転位
・ＳＥＱ  ＩＤ  ＮＯ．１の部位８９０に対応する、Ｇ→Ｃの転位
・ＳＥＱ  ＩＤ  ＮＯ．１の部位９６０に対応する、Ｃ→Ｔの転位
・ＳＥＱ  ＩＤ  ＮＯ．１の部位１００８に対応する、Ｇ→Ａの転位
・ＳＥＱ  ＩＤ  ＮＯ．６の部位４２に対応する、Ｔ→Ｃの転位
・ＳＥＱ  ＩＤ  ＮＯ．６の部位４９に対応する、Ｃ→Ｔの転位
・ＳＥＱ  ＩＤ  ＮＯ．７の部位７５に対応する、Ｃ→Ｔの転位
からなる突然変異群の中から選択された一つの突然変異を呈する、請求項６に記載の方法の使用。
【請求項１１】
導入遺伝子の中に請求項３に記載の核酸配列のうちの一つが含まれる、遺伝子導入動物。
【請求項１２】
ＣＢＧタンパク質と同一または相同のポリペプチドをコードする請求項３に記載の配列のうちの一つを過剰発現する、遺伝子導入動物。
【請求項１３】
ＨＰＡ軸、ならびに、肥満、炎症反応及び自己免疫反応、特に認知機能に関わる老化、薬物嗜癖に関連する病変にＣＢＧが作用する仕組みを理解するための技術的モデルとしての、請求項１１または１２に記載の遺伝子導入動物の使用。
【請求項１４】
ＣＢＧの機能を変化させることのできる化合物をスクリーニングするための、請求項１１または１２に記載の遺伝子導入動物の使用。
【請求項１５】
ＣＢＧの機能を変化させることができ、高コルチゾール血症を軽減するために使用できる化合物を識別するための方法であって、ＣＢＧの突然変異への該化合物の結合をｉｎ  ｖｉｔｒｏで測定する方法。
【国際調査報告】
2005507262.tif 000051
2005507262.tif 000052
2005507262.tif 000053
2005507262.tif 000054
2005507262.tif 000055
2005507262.tif 000056